(57)【要約】  第１のスペシャルサブフレームの構成が、第１のスペシャルサブフレームの第１のアップリンクパイロットタイムスロット（ＵｐＰＴＳ）が同じフレーム中の第２のスペシャルサブフレームの第２のＵｐＰＴＳよりも長くなるように、第２のスペシャルサブフレームの構成から独立していることがある、スペシャルサブフレーム中のＵｐＰＴＳの増加されたシンボル長が開示される。第２のスペシャルサブフレームの第２のＵｐＰＴＳも、選ばれた構成では、レガシーＵｐＰＴＳ長よりも長くなり得る。サービング基地局は、適合ユーザ機器（ＵＥ）のためのサウンディング基準信号（ＳＲＳ）容量と、レガシーＵＥのためのダウンリンクスループットとを平衡させるためにスペシャルサブフレーム構成を選択し得る。選択されたスペシャルサブフレーム構成は、サービング基地局によって送信され得る。追加の態様では、適合ＵＥは、追加のＵｐＰＴＳシンボルおよびレガシーＵｐＰＴＳシンボルにおいて使用するための少なくとも２つの別個のＳＲＳ電力制御パラメータで構成され得る。
2018530238.tif 000002
【特許請求の範囲】
【請求項１】
フレームの第１のスペシャルサブフレームのための第１のスペシャルサブフレーム構成を選択することと、ここにおいて、前記第１のスペシャルサブフレーム構成が、少なくとも３つのシンボルの割り当てられたリソースをもつ第１のアップリンクパイロットタイムスロット（ＵｐＰＴＳ）を含み、ここにおいて、前記少なくとも３つのシンボルが、２つのレガシーシンボルと１つまたは複数の追加のシンボルとを含む、
前記フレームの第２のスペシャルサブフレームのための第２のスペシャルサブフレーム構成を選択することと、ここにおいて、前記第２のスペシャルサブフレーム構成が、前記第１のＵｐＰＴＳに割り当てられた第１のリソース長とは異なる第２のリソース長の割り当てられたリソースをもつ第２のＵｐＰＴＳを含む、
カバレージエリアのための前記第１のスペシャルサブフレーム構成および前記第２のスペシャルサブフレーム構成の指示を送信することと
を備える、ワイヤレス通信の方法。
【請求項２】
前記第２のＵｐＰＴＳに割り当てられた前記リソースが、
２つまたはそれより少ないシンボル、あるいは
少なくとも３つのシンボル、および前記第１のＵｐＰＴＳに割り当てられた前記リソースとは異なる、
のうちの１つを含む、請求項１に記載の方法。
【請求項３】
前記１つまたは複数の追加のシンボル中でサウンディング基準信号（ＳＲＳ）送信をスケジュールすることをさらに含み、ここにおいて、前記スケジュールすることが、
各ＵｐＰＴＳオケージョンのためのシステム帯域幅にわたる周波数ホッピングを介して前記ＳＲＳ送信のための開始位置を非対称的にスケジュールすることと、
前記システム帯域幅の中間部分に前記ＳＲＳ送信のための前記開始位置を対称的にスケジュールすることとのうちの１つである、請求項１に記載の方法。
【請求項４】
ショート物理ランダムアクセスチャネル（ＰＲＡＣＨ）が、前記１つまたは複数の追加のシンボル中でサポートされ、前記スケジュールすることが、各ＵｐＰＴＳオケージョンのための前記システム帯域幅にわたる周波数ホッピングを介して前記ＳＲＳ送信のための前記開始位置を非対称的にスケジュールすることを含む、請求項３に記載の方法。
【請求項５】
ＳＲＳ送信のためにユーザ機器に少なくとも２つのシンボルを割り当てることをさらに含み、ここにおいて、前記少なくとも２つのシンボルが、
前記２つのレガシーシンボルのうちの少なくとも１つのシンボルおよび前記１つまたは複数の追加のシンボルのうちの少なくとも１つのシンボル、
前記２つのレガシーシンボル、または
前記１つまたは複数の追加のシンボルのうちの少なくとも２つ
のうちの１つを含む、請求項１に記載の方法。
【請求項６】
前記１つまたは複数の追加のシンボルの割り当てられたリソースをもつＳＲＳ送信のためのコムを拡張することと、ここにおいて、前記コムがコム値４まで拡張される、
前記１つまたは複数の追加のシンボルのためのＳＲＳリソースとして前記コム値４を割り当てることと、
前記２つのレガシーシンボルのためのＳＲＳリソースとして標準コム値２を割り当てることと、
前記コム値４を前記１つまたは複数の追加のシンボルのためのＳＲＳリソースとして、および前記標準コム値２を前記２つのレガシーシンボルのためのＳＲＳリソースとして識別する割当てインジケータを送信することと
をさらに含む、請求項１に記載の方法。
【請求項７】
前記コム値４または前記標準コム値２のうちの１つを用いて割り当てられた各ＳＲＳリソースに対する電力制御パラメータを決定することをさらに含む、請求項６に記載の方法。
【請求項８】
前記第１のスペシャルサブフレーム構成および前記第２のスペシャルサブフレーム構成が、１つまたは複数の適合ユーザ機器（ＵＥ）のためのサウンディング基準信号（ＳＲＳ）容量、または１つまたは複数のレガシーＵＥのためのダウンリンクスループットのうちの少なくとも１つに少なくとも部分的に基づいて、基地局によって選択される、請求項１に記載の方法。
【請求項９】
前記第１のスペシャルサブフレーム中に１つまたは複数のレガシーＵＥをスケジュールすることを控えることをさらに含む、請求項１に記載の方法。
【請求項１０】
フレームの第１のスペシャルサブフレームのための第１のスペシャルサブフレーム構成を選択するための手段と、ここにおいて、前記第１のスペシャルサブフレーム構成が、少なくとも３つのシンボルの割り当てられたリソースをもつ第１のアップリンクパイロットタイムスロット（ＵｐＰＴＳ）を含み、ここにおいて、前記少なくとも３つのシンボルが、２つのレガシーシンボルと１つまたは複数の追加のシンボルとを含む、
前記フレームの第２のスペシャルサブフレームのための第２のスペシャルサブフレーム構成を選択するための手段と、ここにおいて、前記第２のスペシャルサブフレーム構成が、前記第１のＵｐＰＴＳに割り当てられた第１のリソース長とは異なる第２のリソース長の割り当てられたリソースをもつ第２のＵｐＰＴＳを含む、
カバレージエリアのための前記第１のスペシャルサブフレーム構成および前記第２のスペシャルサブフレーム構成の指示を送信するための手段と
を備える、ワイヤレス通信のために構成された装置。
【請求項１１】
前記第２のＵｐＰＴＳに割り当てられた前記リソースが、
２つまたはそれより少ないシンボル、あるいは
少なくとも３つのシンボル、および前記第１のＵｐＰＴＳに割り当てられた前記リソースとは異なる、
のうちの１つを含む、請求項１０に記載の装置。
【請求項１２】
前記１つまたは複数の追加のシンボル中でサウンディング基準信号（ＳＲＳ）送信をスケジュールするための手段をさらに含み、ここにおいて、スケジュールするための前記手段が、
各ＵｐＰＴＳオケージョンのためのシステム帯域幅にわたる周波数ホッピングを介して前記ＳＲＳ送信のための開始位置を非対称的にスケジュールするための手段と、
前記システム帯域幅の中間部分に前記ＳＲＳ送信のための前記開始位置を対称的にスケジュールするための手段と
のうちの１つである、請求項１０に記載の装置。
【請求項１３】
ショート物理ランダムアクセスチャネル（ＰＲＡＣＨ）が、前記１つまたは複数の追加のシンボル中でサポートされ、スケジュールするための前記手段が、各ＵｐＰＴＳオケージョンのための前記システム帯域幅にわたる周波数ホッピングを介して前記ＳＲＳ送信のための前記開始位置を非対称的にスケジュールするための手段を含む、請求項１２に記載の装置。
【請求項１４】
ＳＲＳ送信のためにユーザ機器に少なくとも２つのシンボルを割り当てるための手段をさらに含み、ここにおいて、前記少なくとも２つのシンボルが、
前記２つのレガシーシンボルのうちの少なくとも１つのシンボルおよび前記１つまたは複数の追加のシンボルのうちの少なくとも１つのシンボル、
前記２つのレガシーシンボル、または
前記１つまたは複数の追加のシンボルのうちの少なくとも２つ
のうちの１つを含む、請求項１０に記載の装置。
【請求項１５】
前記１つまたは複数の追加のシンボルの割り当てられたリソースをもつＳＲＳ送信のためのコムを拡張するための手段と、ここにおいて、前記コムがコム値４まで拡張される、
前記１つまたは複数の追加のシンボルのためのＳＲＳリソースとして前記コム値４を割り当てるための手段と、
前記２つのレガシーシンボルのためのＳＲＳリソースとして標準コム値２を割り当てるための手段と、
前記コム値４を前記１つまたは複数の追加のシンボルのためのＳＲＳリソースとして、および前記標準コム値２を前記２つのレガシーシンボルのためのＳＲＳリソースとして識別する割当てインジケータを送信するための手段と
をさらに含む、請求項１０に記載の装置。
【請求項１６】
前記コム値４または前記標準コム値２のうちの１つを用いて割り当てられた各ＳＲＳリソースに対する電力制御パラメータを決定するための手段
をさらに含む、請求項１５に記載の装置。
【請求項１７】
前記第１のスペシャルサブフレーム構成および前記第２のスペシャルサブフレーム構成が、１つまたは複数の適合ユーザ機器（ＵＥ）のためのサウンディング基準信号（ＳＲＳ）容量、または１つまたは複数のレガシーＵＥのためのダウンリンクスループットのうちの少なくとも１つに少なくとも部分的に基づいて、基地局によって選択される、請求項１０に記載の装置。
【請求項１８】
前記第１のスペシャルサブフレーム中に１つまたは複数のレガシーＵＥをスケジュールすることを控えるための手段をさらに含む、請求項１０に記載の装置。
【請求項１９】
プログラムコードを記録した非一時的コンピュータ可読媒体であって、前記プログラムコードは、
フレームの第１のスペシャルサブフレームのための第１のスペシャルサブフレーム構成を選択することをコンピュータに行わせるためのプログラムコードと、ここにおいて、前記第１のスペシャルサブフレーム構成が、少なくとも３つのシンボルの割り当てられたリソースをもつ第１のアップリンクパイロットタイムスロット（ＵｐＰＴＳ）を含み、ここにおいて、前記少なくとも３つのシンボルが、２つのレガシーシンボルと１つまたは複数の追加のシンボルとを含む、
前記フレームの第２のスペシャルサブフレームのための第２のスペシャルサブフレーム構成を選択することを前記コンピュータに行わせるためのプログラムコードと、ここにおいて、前記第２のスペシャルサブフレーム構成が、前記第１のＵｐＰＴＳに割り当てられた第１のリソース長とは異なる第２のリソース長の割り当てられたリソースをもつ第２のＵｐＰＴＳを含む、
カバレージエリアのための前記第１のスペシャルサブフレーム構成および前記第２のスペシャルサブフレーム構成の指示を送信することを前記コンピュータに行わせるためのプログラムコードと
を備える、非一時的コンピュータ可読媒体。
【請求項２０】
前記第２のＵｐＰＴＳに割り当てられた前記リソースが、
２つまたはそれより少ないシンボル、あるいは
少なくとも３つのシンボル、および前記第１のＵｐＰＴＳに割り当てられた前記リソースとは異なる、
のうちの１つを含む、請求項１９に記載の非一時的コンピュータ可読媒体。
【請求項２１】
ＳＲＳ送信のためにユーザ機器に少なくとも２つのシンボルを割り当てることを前記コンピュータに行わせるためのプログラムコードをさらに含み、ここにおいて、前記少なくとも２つのシンボルが、
前記２つのレガシーシンボルのうちの少なくとも１つのシンボルおよび前記１つまたは複数の追加のシンボルのうちの少なくとも１つのシンボル、
前記２つのレガシーシンボル、または
前記１つまたは複数の追加のシンボルのうちの少なくとも２つ
のうちの１つを含む、請求項１９に記載の非一時的コンピュータ可読媒体。
【請求項２２】
前記１つまたは複数の追加のシンボルの割り当てられたリソースをもつＳＲＳ送信のためのコムを拡張することを前記コンピュータに行わせるためのプログラムコードと、ここにおいて、前記コムがコム値４まで拡張される、
前記１つまたは複数の追加のシンボルのためのＳＲＳリソースとして前記コム値４を割り当てることを前記コンピュータに行わせるためのプログラムコードと、
前記２つのレガシーシンボルのためのＳＲＳリソースとして標準コム値２を割り当てることを前記コンピュータに行わせるためのプログラムコードと、
前記コム値４を前記１つまたは複数の追加のシンボルのためのＳＲＳリソースとして、および前記標準コム２を前記２つのレガシーシンボルのためのＳＲＳリソースとして識別する割当てインジケータを送信することを前記コンピュータに行わせるためのプログラムコードと
をさらに含む、請求項１９に記載の非一時的コンピュータ可読媒体。
【請求項２３】
２つのＳＲＳポートが割り当てられたポートを多重化するための命令を送信することを前記コンピュータに行わせるためのプログラムコード、ここにおいて、前記ポートがサイクリックシフトを使用して多重化される、または
４つのＳＲＳポートが割り当てられたポートを多重化するための命令を送信することを前記コンピュータに行わせるためのプログラムコード、ここにおいて、前記ポートがサイクリックシフトおよびコム値を使用して多重化される、
のうちの１つをさらに含む、請求項１９に記載の非一時的コンピュータ可読媒体。
【請求項２４】
前記コム値４の各コム値に対する電力制御パラメータを決定することを前記コンピュータに行わせるためのプログラムコード
をさらに含む、請求項１９に記載の非一時的コンピュータ可読媒体。
【請求項２５】
ワイヤレス通信のために構成された装置であって、前記装置が、
少なくとも１つのプロセッサと、
前記少なくとも１つのプロセッサに結合されたメモリと
を備え、
ここにおいて、前記少なくとも１つのプロセッサは、
フレームの第１のスペシャルサブフレームのための第１のスペシャルサブフレーム構成を選択することと、ここにおいて、前記第１のスペシャルサブフレーム構成が、少なくとも３つのシンボルの割り当てられたリソースをもつ第１のアップリンクパイロットタイムスロット（ＵｐＰＴＳ）を含み、ここにおいて、前記少なくとも３つのシンボルが、２つのレガシーシンボルと１つまたは複数の追加のシンボルとを含む、
前記フレームの第２のスペシャルサブフレームのための第２のスペシャルサブフレーム構成を選択することと、ここにおいて、前記第２のスペシャルサブフレーム構成が、前記第１のＵｐＰＴＳに割り当てられた第１のリソース長とは異なる第２のリソース長の割り当てられたリソースをもつ第２のＵｐＰＴＳを含む、
カバレージエリアのための前記第１のスペシャルサブフレーム構成および前記第２のスペシャルサブフレーム構成の指示を送信することと
を行うように構成された、装置。
【請求項２６】
前記第２のＵｐＰＴＳに割り当てられた前記リソースが、
２つまたはそれより少ないシンボル、あるいは
少なくとも３つのシンボル、および前記第１のＵｐＰＴＳに割り当てられた前記リソースとは異なる、
のうちの１つを含む、請求項２５に記載の非一時的コンピュータ可読媒体。
【請求項２７】
ＳＲＳ送信のためにユーザ機器に少なくとも２つにシンボルを割り当てるための前記少なくとも１つのプロセッサの構成をさらに含み、ここにおいて、前記少なくとも２つのシンボルが、
前記２つのレガシーシンボル、または
前記１つまたは複数の追加のシンボルのうちの少なくとも２つ
のうちの１つを含む、請求項２５に記載の非一時的コンピュータ可読媒体。
【請求項２８】
前記１つまたは複数の追加のシンボルの割り当てられたリソースをもつＳＲＳ送信のためのコムを拡張することと、ここにおいて、前記コムがコム値４まで拡張される、
前記１つまたは複数の追加のシンボルのためのＳＲＳリソースとして前記コム値４を割り当てることと、
前記２つのレガシーシンボルのためのＳＲＳリソースとして標準コム値２を割り当てることと、
前記コム値４を前記１つまたは複数の追加のシンボルのためのＳＲＳリソースとして、および前記標準コム２を前記２つのレガシーシンボルのためのＳＲＳリソースとして識別する割当てインジケータを送信することと
を行うための前記少なくとも１つのプロセッサの構成をさらに含む、請求項２５に記載の装置。
【請求項２９】
２つのＳＲＳポートが割り当てられたポートを多重化するための命令を送信すること、ここにおいて、前記ポートがサイクリックシフトを使用して多重化される、または
４つのＳＲＳポートが割り当てられたポートを多重化するための命令を送信すること、ここにおいて、前記ポートがサイクリックシフトおよびコム値を使用して多重化される、
のうちの１つを行うための前記少なくとも１つのプロセッサの構成をさらに含む、請求項２５に記載の装置。
【請求項３０】
前記コム値４の各コム値に対する電力制御パラメータを決定することを行うための前記少なくとも１つのプロセッサの構成をさらに含む、請求項２５に記載の装置。
【発明の詳細な説明】
【技術分野】
【０００１】
関連出願の相互参照
[0001]本出願は、その全体が参照により本明細書に明確に組み込まれる、２０１５年９月２４日に出願された「INCREASED UPLINK PILOT TIME SLOT LENGTH IN SPECIAL SUBFRAMES」と題するＰＣＴ国際出願第ＰＣＴ／ＣＮ２０１５／０９０５１５号の利益を主張する。
【背景技術】
【０００２】
[0002]本開示の態様は、一般に、ワイヤレス通信システムに関し、より詳細には、スペシャルサブフレーム中のアップリンクパイロットタイムスロット（ＵｐＰＴＳ：uplink pilot time slot）の増加された長さに関する。
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。通常、多元接続ネットワークである、そのようなネットワークは、利用可能なネットワークリソースを共有することによって複数のユーザのための通信をサポートする。そのようなネットワークの一例はユニバーサル地上波無線アクセスネットワーク（ＵＴＲＡＮ：Universal Terrestrial Radio Access Network）である。ＵＴＲＡＮは、第３世代パートナーシッププロジェクト（３ＧＰＰ（登録商標）：3rd Generation Partnership Project）によってサポートされる第３世代（３Ｇ）モバイルフォン技術である、ユニバーサルモバイルテレコミュニケーションズシステム（ＵＭＴＳ：Universal Mobile Telecommunications System）の一部として定義された無線アクセスネットワーク（ＲＡＮ）である。多元接続ネットワークフォーマットの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]ワイヤレス通信ネットワークは、いくつかのユーザ機器（ＵＥ）のための通信をサポートすることができるいくつかの基地局またはノードＢを含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
[0005]基地局は、ＵＥにダウンリンク上でデータおよび制御情報を送信し得、ならびに／またはＵＥからアップリンク上でデータおよび制御情報を受信し得る。ダウンリンク上では、基地局からの送信は、ネイバー基地局からの送信、または他のワイヤレス無線周波数（ＲＦ）送信機からの送信による干渉に遭遇することがある。アップリンク上では、ＵＥからの送信は、ネイバー基地局と通信する他のＵＥのアップリンク送信からの干渉、または他のワイヤレスＲＦ送信機からの干渉に遭遇することがある。この干渉は、ダウンリンクとアップリンクの両方で性能を劣化させることがある。
【０００６】
[0006]モバイルブロードバンドアクセスに対する需要が増加し続けるにつれて、干渉および輻輳ネットワークの可能性は、より多くのＵＥが長距離ワイヤレス通信ネットワークにアクセスし、より多くの短距離ワイヤレスシステムがコミュニティにおいて展開されるようになるとともに増大する。モバイルブロードバンドアクセスに対する増大する需要を満たすためだけでなく、モバイル通信のユーザエクスペリエンスを進化および向上させるためにもＵＭＴＳ技術を進化させる研究および開発が続けられている。
【発明の概要】
【０００７】
[0007]本開示の様々な態様は、スペシャルサブフレーム中のアップリンクパイロットタイムスロット（ＵｐＰＴＳ）の増加されたシンボル長を対象とする。そのような態様では、第１のスペシャルサブフレームの構成は、第１のスペシャルサブフレームの第１のＵｐＰＴＳが同じフレーム中の第２のスペシャルサブフレームの第２のＵｐＰＴＳよりも長くなるように、第２のスペシャルサブフレームの構成から独立していることがある。第２のスペシャルサブフレームの第２のＵｐＰＴＳも、選ばれた構成では、レガシーＵｐＰＴＳ長よりも長くなり得る。サービング基地局は、適合（compatible）ユーザ機器（ＵＥ）のためのサウンディング基準信号（ＳＲＳ：sounding reference signal）容量と、レガシーＵＥのためのダウンリンクスループットとを平衡させるためにスペシャルサブフレーム構成を選択し得る。選択されたスペシャルサブフレーム構成は、サービング基地局によって、システム情報メッセージ中で、または専用ＵＥへの無線リソース制御（ＲＲＣ）シグナリングを介して、送信され得る。追加の態様では、適合ＵＥは、追加のＵｐＰＴＳシンボルおよびレガシーＵｐＰＴＳシンボルにおいて使用するための少なくとも２つの別個のＳＲＳ電力制御パラメータで構成され得る。
【０００８】
[0008]本開示の一態様では、ワイヤレス通信の方法は、フレームの第１のスペシャルサブフレームのための第１のスペシャルサブフレーム構成を選択すること、ここにおいて、第１のスペシャルサブフレーム構成が、少なくとも３つのシンボルの割り当てられたリソースをもつ第１のＵｐＰＴＳを含み、ここにおいて、少なくとも３つのシンボルが、２つのレガシーシンボルと１つまたは複数の追加のシンボルとを含む、を含む。本方法は、フレームの第２のスペシャルサブフレームのための第２のスペシャルサブフレーム構成を選択することと、ここにおいて、第２のスペシャルサブフレーム構成が、第１のＵｐＰＴＳに割り当てられた第１のリソース長とは異なる第２のリソース長の割り当てられたリソースをもつ第２のＵｐＰＴＳを含む、カバレージエリアのための第１のスペシャルサブフレーム構成および第２のスペシャルサブフレーム構成の指示を送信することとをさらに含む。
【０００９】
[0009]本開示の追加の態様では、ワイヤレス通信のために構成された装置は、フレームの第１のスペシャルサブフレームのための第１のスペシャルサブフレーム構成を選択するための手段、ここにおいて、第１のスペシャルサブフレーム構成が、少なくとも３つのシンボルの割り当てられたリソースをもつ第１のＵｐＰＴＳを含み、ここにおいて、少なくとも３つのシンボルが、２つのレガシーシンボルと１つまたは複数の追加のシンボルとを含む、を含む。本装置は、フレームの第２のスペシャルサブフレームのための第２のスペシャルサブフレーム構成を選択するための手段と、ここにおいて、第２のスペシャルサブフレーム構成が、第１のＵｐＰＴＳに割り当てられた第１のリソース長とは異なる第２のリソース長の割り当てられたリソースをもつ第２のＵｐＰＴＳを含む、カバレージエリアのための第１のスペシャルサブフレーム構成および第２のスペシャルサブフレーム構成の指示を送信するための手段とをさらに含む。
【００１０】
[0010]本開示の追加の態様では、プログラムコードを記録した非一時的コンピュータ可読媒体。プログラムコードは、フレームの第１のスペシャルサブフレームのための第１のスペシャルサブフレーム構成を選択するためのコード、ここにおいて、第１のスペシャルサブフレーム構成が、少なくとも３つのシンボルの割り当てられたリソースをもつ第１のＵｐＰＴＳを含み、ここにおいて、少なくとも３つのシンボルが、２つのレガシーシンボルと１つまたは複数の追加のシンボルとを含む、をさらに含む。本非一時的コンピュータ可読媒体は、フレームの第２のスペシャルサブフレームのための第２のスペシャルサブフレーム構成を選択するためのコードと、ここにおいて、第２のスペシャルサブフレーム構成が、第１のＵｐＰＴＳに割り当てられた第１のリソース長とは異なる第２のリソース長の割り当てられたリソースをもつ第２のＵｐＰＴＳを含む、カバレージエリアのための第１のスペシャルサブフレーム構成および第２のスペシャルサブフレーム構成の指示を送信するためのコードとをさらに含む。
【００１１】
[0011]本開示の追加の態様では、ワイヤレス通信のために構成された装置が開示される。本装置は、少なくとも１つのプロセッサと、プロセッサに結合されたメモリとを含む。プロセッサは、フレームの第１のスペシャルサブフレームのための第１のスペシャルサブフレーム構成を選択すること、ここにおいて、第１のスペシャルサブフレーム構成が、少なくとも３つのシンボルの割り当てられたリソースをもつ第１のＵｐＰＴＳを含み、ここにおいて、少なくとも３つのシンボルが、２つのレガシーシンボルと１つまたは複数の追加のシンボルとを含む、を行うように構成される。本装置は、フレームの第２のスペシャルサブフレームのための第２のスペシャルサブフレーム構成を選択することと、ここにおいて、第２のスペシャルサブフレーム構成が、第１のＵｐＰＴＳに割り当てられた第１のリソース長とは異なる第２のリソース長の割り当てられたリソースをもつ第２のＵｐＰＴＳを含む、カバレージエリアのための第１のスペシャルサブフレーム構成および第２のスペシャルサブフレーム構成の指示を送信することとをさらに含む。
【００１２】
[0012]上記は、以下の発明を実施するための形態がより良く理解され得るように、本開示による例の特徴および技術的利点についてやや広く概説した。追加の特徴および利点が以下で説明される。開示される概念および具体例は、本開示の同じ目的を実行するための他の構造を変更または設計するための基礎として容易に利用され得る。そのような等価な構成は、添付の特許請求の範囲から逸脱しない。本明細書で開示される概念の特性、それらの編成と動作方法の両方は、関連する利点とともに、添付の図に関連して以下の説明を検討するとより良く理解されよう。図の各々は、例示および説明の目的で与えられるものであり、特許請求の範囲の制限の定義として与えられるものではない。
【図面の簡単な説明】
【００１３】
[0013]本開示の性質および利点のさらなる理解は、以下の図面を参照して実現され得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のいずれにも適用可能である。
【図１】[0014]ワイヤレス通信システムの詳細を示すブロック図。
【図２】[0015]本開示の一態様に従って構成された、基地局／ｅＮＢおよびＵＥの設計を概念的に示すブロック図。
【図３】[0016]ＬＴＥ（登録商標）におけるＴＤＤのための例示的なフレーム構造を示すブロック図。
【図４】[0017]タイムライン上の連続ＵｐＰＴＳオケージョンにおけるＳＲＳ帯域幅を示すブロック図。
【図５】[0018]本開示の一態様による、サブフレーム１中のより長いＵｐＰＴＳを定義するスペシャルサブフレーム構成を有する送信フレームを示すブロック図。
【図６】[0019]本開示の一態様をインプリメントするために実行される例示的なブロックを示すブロック図。
【図７】[0020]本開示の一態様に従って構成された、ＵＥと基地局との間の送信ストリームを示すブロック図。
【図８】[0021]本開示の態様による、ＳＲＳリソースの割当てを示すブロック図。
【発明を実施するための形態】
【００１４】
[0022]添付の図面に関して以下に示す発明を実施するための形態は、様々な構成を説明するものであり、本開示の範囲を限定するものではない。そうではなく、発明を実施するための形態は、本発明の主題の完全な理解を与えるための具体的な詳細を含む。これらの具体的な詳細は、あらゆる場合において必要とされるとは限らないことと、いくつかの事例では、よく知られている構造および構成要素は、提示を明快にするためにブロック図の形式で示されることとが当業者には明らかであろう。
【００１５】
[0023]本開示は、一般に、ワイヤレス通信ネットワークとも呼ばれる、２つまたはそれ以上のワイヤレス通信システム間での許可された共有アクセスを与えることまたはそのアクセスに関与することに関する。様々な実施形態では、技法および装置は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワーク、ＬＴＥネットワーク、ＧＳＭ（登録商標）ネットワーク、ならびに他の通信ネットワークなど、ワイヤレス通信ネットワークのために使用され得る。本明細書で説明される「ネットワーク」および「システム」という用語は互換的に使用され得る。
【００１６】
[0024]ＣＤＭＡネットワークは、ユニバーサル地上波無線アクセス（ＵＴＲＡ）、ｃｄｍａ２０００などの無線技術をインプリメントし得る。ＵＴＲＡは、広帯域ＣＤＭＡ（Ｗ−ＣＤＭＡ（登録商標））と低チップレート（ＬＣＲ）とを含む。ＣＤＭＡ２０００は、ＩＳ−２０００、ＩＳ−９５、およびＩＳ−８５６規格をカバーする。
【００１７】
[0025]ＴＤＭＡネットワークは、モバイル通信用グローバルシステム（ＧＳＭ）などの無線技術をインプリメントし得る。３ＧＰＰは、ＧＥＲＡＮとしても示されるＧＳＭ  ＥＤＧＥ（ＧＳＭ進化型高速データレート（enhanced data rates for GSM evolution））無線アクセスネットワーク（ＲＡＮ）のための規格を定義する。ＧＥＲＡＮは、基地局（たとえば、ＡｔｅｒおよびＡｂｉｓインターフェース）と基地局コントローラ（Ａインターフェースなど）とを結合するネットワークとともにＧＳＭ／ＥＤＧＥの無線構成要素である。無線アクセスネットワークはＧＳＭネットワークの構成要素を表し、それを通して、通話およびパケットデータが公衆交換電話網（ＰＳＴＮ）およびインターネットからユーザ端末またはユーザ機器（ＵＥ）としても知られる加入者ハンドセットにルーティングされ、また加入者ハンドセットからＰＳＴＮおよびインターネットにルーティングされる。モバイルフォン事業者のネットワークは、１つまたは複数のＧＥＲＡＮを備え得、それは、ＵＭＴＳ／ＧＳＭネットワークの場合、ＵＴＲＡＮに結合され得る。事業者ネットワークはまた、１つまたは複数のＬＴＥネットワーク、および／または１つまたは複数の他のネットワークを含み得る。様々な異なるネットワークタイプは、異なる無線アクセス技術（ＲＡＴ）と無線アクセスネットワーク（ＲＡＮ）とを使用し得る。
【００１８】
[0026]ＯＦＤＭＡネットワークは、発展型ＵＴＲＡ（Ｅ−ＵＴＲＡ）、ＩＥＥＥ８０２．１１、ＩＥＥＥ８０２．１６、ＩＥＥＥ８０２．２０、ｆｌａｓｈ−ＯＦＤＭなどの無線技術をインプリメントし得る。ＵＴＲＡ、Ｅ−ＵＴＲＡ、およびＧＳＭは、ユニバーサルモバイルテレコミュニケーションシステム（ＵＭＴＳ：universal mobile telecommunication system）の一部である。特に、ロングタームエボリューション（ＬＴＥ）は、Ｅ−ＵＴＲＡを使用するＵＭＴＳのリリースである。ＵＴＲＡ、Ｅ−ＵＴＲＡ、ＧＳＭ、ＵＭＴＳおよびＬＴＥは、「第３世代パートナーシッププロジェクト」（３ＧＰＰ）と称する団体から提供されている文書に記載されており、ｃｄｍａ２０００は、「第３世代パートナーシッププロジェクト２」（３ＧＰＰ２：3rd Generation Partnership Project 2）と称する団体からの文書に記載されている。これらの様々な無線技術および規格は知られているかまたは開発されている。たとえば、第３世代パートナーシッププロジェクト（３ＧＰＰ）は、グローバルに適用可能な第３世代（３Ｇ）モバイルフォン仕様を定義することを目的とする電気通信協会のグループ間のコラボレーションである。３ＧＰＰロングタームエボリューション（ＬＴＥ）は、ユニバーサルモバイルテレコミュニケーションズシステム（ＵＭＴＳ）モバイルフォン規格を改善することを目的とした３ＧＰＰプロジェクトである。３ＧＰＰは、次世代のモバイルネットワーク、モバイルシステム、およびモバイルデバイスのための仕様を定義し得る。明快のために、装置および技法のいくつかの態様は、以下ではＬＴＥインプリメンテーションに関してまたはＬＴＥ中心の方法で説明されることがあり、以下の説明の部分ではＬＴＥ用語が例示的な例として使用されることがあるが、その説明は、ＬＴＥ適用例に限定されるものではない。実際、本開示は、異なる無線アクセス技術または無線エアインターフェースを使用した、ネットワーク間のワイヤレススペクトルへの共有アクセスに関係する。
【００１９】
[0027]また、キャリアグレードＷｉＦｉ（登録商標）に適合し得る、無認可スペクトル中に含むＬＴＥ／ＬＴＥ−Ａに基づくニューキャリアタイプが提案されており、それにより、無認可スペクトルを用いるＬＴＥ／ＬＴＥ−ＡがＷｉＦｉの代替になる。ＬＴＥ／ＬＴＥ−Ａは、無認可スペクトル中で動作するとき、ＬＴＥ概念を活用し得、無認可スペクトル中での効率的な動作を可能にすることと、規制要件を満たすこととのために、ネットワークまたはネットワークデバイスの物理レイヤ（ＰＨＹ）およびメディアアクセス制御（ＭＡＣ）態様にいくつかの変更を導入し得る。使用される無認可スペクトルは、たとえば、数百メガヘルツ（ＭＨｚ）程度から数十ギガヘルツ（ＧＨｚ）程度までにわたり得る。動作中、そのようなＬＴＥ／ＬＴＥ−Ａネットワークは、負荷と利用可能性とに応じて認可スペクトルまたは無認可スペクトルの任意の組合せで動作し得る。したがって、本明細書で説明されるシステム、装置および方法は他の通信システムおよび適用例に適用され得ることが当業者には明らかであり得る。
【００２０】
[0028]システム設計は、ビームフォーミングおよび他の機能を可能にするためにダウンリンクおよびアップリンクのための様々な時間周波数基準信号をサポートし得る。基準信号は、知られているデータに基づいて生成される信号であり、パイロット、プリアンブル、トレーニング信号、サウンディング信号などと呼ばれることもある。基準信号は、チャネル推定、コヒーレント復調、チャネル品質測定、信号強度測定など、様々な目的のために受信機によって使用され得る。複数のアンテナを使用するＭＩＭＯシステムは、概して、アンテナ間での基準信号の送信の協調を行うが、ＬＴＥシステムは、概して、複数の基地局またはｅＮＢからの基準信号の送信の協調を行わない。
【００２１】
[0029]いくつかのインプリメンテーションでは、システムは時分割複信（ＴＤＤ）を利用し得る。ＴＤＤでは、ダウンリンクとアップリンクとは同じ周波数スペクトルまたはチャネルを共有し、ダウンリンク送信とアップリンク送信とは同じ周波数スペクトル上で送られる。したがって、ダウンリンクチャネル応答はアップリンクチャネル応答と相関し得る。相反性により、アップリンクを介して送られた送信に基づいてダウンリンクチャネルを推定することが可能になり得る。これらのアップリンク送信は、（復調後に基準シンボルとして使用され得る）基準信号またはアップリンク制御チャネルであり得る。アップリンク送信は、複数のアンテナを介した空間選択チャネルの推定を可能にし得る。
【００２２】
[0030]ＬＴＥインプリメンテーションでは、ダウンリンクのために、すなわち、基地局、アクセスポイントまたはｅノードＢ（ｅＮＢ）からユーザ端末またはＵＥまで、直交周波数分割多重（ＯＦＤＭ）が使用される。ＯＦＤＭの使用は、スペクトルフレキシビリティについてのＬＴＥ要件を満たし、高いピークレートで極めて広いキャリアのためのコスト効率の高いソリューションを可能にし、定着した技術である。たとえば、ＯＦＤＭは、ＩＥＥＥ８０２．１１ａ／ｇ、８０２．１６、欧州通信規格協会（ＥＴＳＩ）によって規格化されたＨｉｇｈ  Ｐｅｒｆｏｒｍａｎｃｅ  Ｒａｄｉｏ  ＬＡＮ−２（ＨＩＰＥＲＬＡＮ−２、ここにおいてＬＡＮはローカルエリアネットワークを表す）、ＥＴＳＩの合同技術委員会によって公開されたデジタルビデオブロードキャスティング（ＤＶＢ）などの規格、および他の規格において使用される。
【００２３】
[0031]時間周波数物理リソースブロック（ここではリソースブロック、または簡潔のために「ＲＢ」としても示される）は、ＯＦＤＭシステムにおいて、トランスポートデータに割り当てられたトランスポートキャリア（たとえば、サブキャリア）または間隔のグループとして定義され得る。ＲＢは、時間および周波数期間にわたって定義される。リソースブロックは、スロットにおける時間および周波数のインデックスによって定義され得る時間周波数リソース要素（ここではリソース要素、または簡潔のために「ＲＥ」としても示される）から構成される。ＬＴＥ  ＲＢおよびＲＥのさらなる詳細は、たとえば、３ＧＰＰ  ＴＳ３６．２１１などの３ＧＰＰ仕様に記載されている。
【００２４】
[0032]ＵＭＴＳ  ＬＴＥは、２０ＭＨｚから１．４ＭＨＺまでのスケーラブルなキャリア帯域幅をサポートする。ＬＴＥでは、ＲＢは、サブキャリア帯域幅が１５ｋＨｚであるときは１２個のサブキャリアとして定義され、またはサブキャリア帯域幅が７．５ｋＨｚであるときは２４個のサブキャリアとして定義される。例示的なインプリメンテーションでは、時間領域において、１０ｍｓ長であり、それぞれ１ミリ秒（ｍｓ）の１０個のサブフレームからなる、定義された無線フレームがある。あらゆるサブフレームは、各スロットが０．５ｍｓである２つのスロットからなる。この場合、周波数領域におけるサブキャリア間隔は１５ｋＨｚである。（スロットごとに）これらのサブキャリアのうち１２個を合わせると、ＲＢが構成され、したがって、このインプリメンテーションでは、１つのリソースブロックは１８０ｋＨｚである。６つのリソースブロックは１．４ＭＨｚのキャリアに適合し、１００個のリソースブロックは２０ＭＨｚのキャリアに適合する。
【００２５】
[0033]本開示の様々な他の態様および特徴が以下でさらに説明される。本明細書の教示は多種多様な形態で実施され得、本明細書で開示される特定の構造、機能、またはその両方は代表的なものにすぎず、限定するものではないことは明らかであろう。本明細書の教示に基づいて、本明細書で開示される態様は他の態様から独立してインプリメントされ得ること、およびこれらの態様のうちの２つまたはそれ以上は様々な方法で組み合わせられ得ることを、当業者は諒解されたい。たとえば、本明細書に記載の態様をいくつ使用しても、装置はインプリメントされ得、または方法は実施され得る。さらに、本明細書に記載の態様のうちの１つまたは複数に加えて、あるいはそれら以外の他の構造、機能、または構造および機能を使用して、そのような装置がインプリメントされ得、またはそのような方法が実施され得る。たとえば、方法は、システム、デバイス、装置の一部としてインプリメントされ、および／あるいはプロセッサまたはコンピュータ上での実行のためにコンピュータ可読媒体に記憶された命令としてインプリメントされ得る。さらに、１つの態様は、１つの請求項の少なくとも１つの要素を備え得る。
【００２６】
[0034]図１は、ＬＴＥ−Ａネットワークであり得る、通信のためのワイヤレスネットワーク１００を示す。ワイヤレスネットワーク１００は、いくつかの発展型ノードＢ（ｅＮＢ）１１０と他のネットワークエンティティとを含む。ｅＮＢは、ＵＥと通信する局であり得、基地局、ノードＢ、アクセスポイントなどと呼ばれることもある。各ｅＮＢ１１０は、特定の地理的エリアに通信カバレージを与え得る。３ＧＰＰでは、「セル」という用語は、その用語が使用されるコンテキストに応じて、ｅＮＢのこの特定の地理的カバレージエリアおよび／またはそのカバレージエリアをサービスするｅＮＢサブシステムを指すことがある。
【００２７】
[0035]ｅＮＢは、マクロセル、ピコセル、フェムトセル、および／または他のタイプのセルに通信カバレージを与え得る。マクロセルは、概して、比較的大きい地理的エリア（たとえば、半径数キロメートル）をカバーし、ネットワークプロバイダのサービスに加入しているＵＥによる無制限アクセスを可能にし得る。ピコセルは、概して、比較的小さい地理的エリアをカバーすることになり、ネットワークプロバイダのサービスに加入しているＵＥによる無制限アクセスを可能にし得る。また、フェムトセルは、概して、比較的小さい地理的エリア（たとえば、自宅）をカバーすることになり、無制限アクセスに加えて、フェムトセルとの関連付けを有するＵＥ（たとえば、限定加入者グループ（ＣＳＧ：closed subscriber group）中のＵＥ、自宅内のユーザのためのＵＥなど）による制限付きアクセスをも可能にし得る。マクロセルのためのｅＮＢはマクロｅＮＢと呼ばれることがある。ピコセルのためのｅＮＢはピコｅＮＢと呼ばれることがある。また、フェムトセルのためのｅＮＢはフェムトｅＮＢまたはホームｅＮＢと呼ばれることがある。図１に示されている例では、ｅＮＢ１１０ａ、１１０ｂおよび１１０ｃは、それぞれマクロセル１０２ａ、１０２ｂおよび１０２ｃのためのマクロｅＮＢである。ｅＮＢ１１０ｘは、ピコセル１０２ｘのためのピコｅＮＢである。また、ｅＮＢ１１０ｙおよび１１０ｚは、それぞれフェムトセル１０２ｙおよび１０２ｚのためのフェムトｅＮＢである。ｅＮＢは、１つまたは複数の（たとえば、２つ、３つ、４つなどの）セルをサポートし得る。
【００２８】
[0036]ワイヤレスネットワーク１００は中継局をも含む。中継局は、上流局（たとえば、ｅＮＢ、ＵＥなど）からデータおよび／または他の情報の送信を受信し、そのデータおよび／または他の情報の送信を下流局（たとえば、別のＵＥ、別のｅＮＢなど）に送る局である。中継局はまた、他のＵＥに対する送信を中継するＵＥであり得る。図１に示されている例では、中継局１１０ｒはｅＮＢ１１０ａおよびＵＥ１２０ｒと通信し得、ここで、中継局１１０ｒは、それらの２つのネットワーク要素（ｅＮＢ１１０ａおよびＵＥ１２０ｒ）間の通信を可能にするために、それらの間のリレーとして働く。中継局は、リレーｅＮＢ、リレーなどと呼ばれることもある。
【００２９】
[0037]ワイヤレスネットワーク１００は同期動作または非同期動作をサポートし得る。同期動作の場合、ｅＮＢは同様のフレームタイミングを有し得、異なるｅＮＢからの送信は時間的にほぼ整合され得る。非同期動作の場合、ｅＮＢは異なるフレームタイミングを有し得、異なるｅＮＢからの送信は時間的に整合されないことがある。
【００３０】
[0038]ＵＥ１２０はワイヤレスネットワーク１００全体にわたって分散され、各ＵＥは固定または移動であり得る。ＵＥは、端末、移動局、加入者ユニット、局などと呼ばれることもある。ＵＥは、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、ピコｅＮＢ、フェムトｅＮＢ、リレーなどと通信することが可能であり得る。図１において、両矢印付きの実線は、ダウンリンクおよび／またはアップリンク上での、ＵＥと、そのＵＥをサービスするように指定されたｅＮＢであるサービングｅＮＢとの間の所望の送信を示す。両矢印付きの破線は、ＵＥとｅＮＢとの間の干渉送信を示す。
【００３１】
[0039]ＬＴＥ／−Ａは、ダウンリンク上では直交周波数分割多重（ＯＦＤＭ）を利用し、アップリンク上ではシングルキャリア周波数分割多重（ＳＣ−ＦＤＭ）を利用する。ＯＦＤＭおよびＳＣ−ＦＤＭは、システム帯域幅を、一般にトーン、ビンなどとも呼ばれる複数（Ｋ個）の直交サブキャリアに区分する。各サブキャリアはデータで変調され得る。概して、変調シンボルは、ＯＦＤＭでは周波数領域で、ＳＣ−ＦＤＭでは時間領域で送られる。隣接するサブキャリア間の間隔は固定であり得、サブキャリアの総数（Ｋ）はシステム帯域幅に依存し得る。たとえば、Ｋは、１．４、３、５、１０、１５、または２０メガヘルツ（ＭＨｚ）の対応するシステム帯域幅に対してそれぞれ７２、１８０、３００、６００、９００、および１２００に等しくなり得る。システム帯域幅はまた、サブバンドに区分され得る。たとえば、サブバンドは１．０８ＭＨｚをカバーし得、１．４、３、５、１０、１５、または２０ＭＨｚの対応するシステム帯域幅に対してそれぞれ１つ、２つ、４つ、８つ、または１６個のサブバンドがあり得る。
【００３２】
[0040]図２は、図１中の基地局／ｅＮＢのうちの１つであり得る基地局／ｅＮＢ１１０および図１中のＵＥのうちの１つであり得るＵＥ１２０の設計のブロック図を示す。制限付き関連付けシナリオの場合、ｅＮＢ１１０は図１中のマクロｅＮＢ１１０ｃであり得、ＵＥ１２０はＵＥ１２０ｙであり得る。ｅＮＢ１１０はまた、何らかの他のタイプの基地局であり得る。ｅＮＢ１１０はアンテナ２３４ａ〜２３４ｔを装備し得、ＵＥ１２０はアンテナ２５２ａ〜２５２ｒを装備し得る。
【００３３】
[0041]ｅＮＢ１１０において、送信プロセッサ２２０は、データソース２１２からデータを受信し、コントローラ／プロセッサ２４０から制御情報を受信し得る。制御情報は、ＰＢＣＨ、ＰＣＦＩＣＨ、ＰＨＩＣＨ、ＰＤＣＣＨなどのためのものであり得る。データは、ＰＤＳＣＨなどのためのものであり得る。送信プロセッサ２２０は、データシンボルおよび制御シンボルを取得するために、それぞれデータおよび制御情報を処理（たとえば、符号化およびシンボルマッピング）し得る。送信プロセッサ２２０はまた、たとえば、ＰＳＳ、ＳＳＳ、およびセル固有基準信号のための基準シンボルを生成し得る。送信（ＴＸ）多入力多出力（ＭＩＭＯ）プロセッサ２３０は、適用可能な場合、データシンボル、制御シンボル、および／または基準シンボルに対して空間処理（たとえば、プリコーディング）を実行し得、出力シンボルストリームを変調器（ＭＯＤ）２３２ａ〜２３２ｔに与え得る。各変調器２３２は、出力サンプルストリームを取得するために、（たとえば、ＯＦＤＭなどのために）それぞれの出力シンボルストリームを処理し得る。各変調器２３２はさらに、ダウンリンク信号を取得するために、出力サンプルストリームを処理（たとえば、アナログへの変換、増幅、フィルタ処理、およびアップコンバート）し得る。変調器２３２ａ〜２３２ｔからのダウンリンク信号は、それぞれアンテナ２３４ａ〜２３４ｔを介して送信され得る。
【００３４】
[0042]ＵＥ１２０において、アンテナ２５２ａ〜２５２ｒは、ｅＮＢ１１０からダウンリンク信号を受信し得、受信信号をそれぞれ復調器（ＤＥＭＯＤ）２５４ａ〜２５４ｒに与え得る。各復調器２５４は、入力サンプルを取得するために、それぞれの受信信号を調整（たとえば、フィルタ処理、増幅、ダウンコンバート、およびデジタル化）し得る。各復調器２５４はさらに、受信シンボルを取得するために、（たとえば、ＯＦＤＭなどのための）入力サンプルを処理し得る。ＭＩＭＯ検出器２５６は、すべての復調器２５４ａ〜２５４ｒから受信シンボルを取得し、適用可能な場合は受信シンボルに対してＭＩＭＯ検出を実行し、検出シンボルを与え得る。受信プロセッサ２５８は、検出されたシンボルを処理（たとえば、復調、デインターリーブ、および復号）し、ＵＥ１２０の復号されたデータをデータシンク２６０に与え、復号された制御情報をコントローラ／プロセッサ２８０に与え得る。
【００３５】
[0043]アップリンク上では、ＵＥ１２０において、送信プロセッサ２６４が、データソース２６２から（たとえば、ＰＵＳＣＨのための）データを受信し、処理し得、コントローラ／プロセッサ２８０から（たとえば、ＰＵＣＣＨのための）制御情報を受信し、処理し得る。送信プロセッサ２６４はまた、基準信号のための基準シンボルを生成し得る。送信プロセッサ２６４からのシンボルは、適用可能な場合はＴＸ  ＭＩＭＯプロセッサ２６６によってプリコードされ、さらに（たとえば、ＳＣ−ＦＤＭなどのために）変調器２５４ａ〜２５４ｒによって処理され、ｅＮＢ１１０に送信され得る。ｅＮＢ１１０において、ＵＥ１２０からのアップリンク信号は、アンテナ２３４によって受信され、復調器２３２によって処理され、適用可能な場合はＭＩＭＯ検出器２３６によって検出され、ＵＥ１２０によって送られた復号されたデータと制御情報とを取得するために、受信プロセッサ２３８によってさらに処理され得る。プロセッサ２３８は、復号されたデータをデータシンク２３９に与え、復号された制御情報をコントローラ／プロセッサ２４０に与え得る。
【００３６】
[0044]コントローラ／プロセッサ２４０および２８０は、それぞれ、ｅＮＢ１１０およびＵＥ１２０における動作を指示し得る。ｅＮＢ１１０におけるコントローラ／プロセッサ２４０ならびに／または他のプロセッサおよびモジュールは、本明細書で説明される技法のための様々なプロセスを実行するか、またはそれらの実行を指示し得る。ＵＥ１２０におけるコントローラ／プロセッサ２８０ならびに／または他のプロセッサおよびモジュールも、図６に示されている機能ブロック、および／または本明細書で説明される技法のための他のプロセスを実行するか、またはそれらの実行を指示し得る。メモリ２４２および２８２は、それぞれｅＮＢ１１０およびＵＥ１２０のためのデータおよびプログラムコードを記憶し得る。スケジューラ２４４は、ダウンリンクおよび／またはアップリンク上でのデータ送信のためにＵＥをスケジュールし得る。
【００３７】
[0045]ＬＴＥ通信規格は、ＦＤＤフレーム構造とＴＤＤフレーム構造の両方をサポートする。図３は、ＬＴＥにおけるＴＤＤのための例示的なフレーム構造３００を示す。ダウンリンクおよびアップリンクのための送信タイムラインは無線フレームのユニットに区分され得、各無線フレームは０〜９のインデックスをもつ１０個のサブフレームに区分され得る。ＬＴＥは、ＴＤＤのためのいくつかのアップリンクダウンリンク構成をサポートする。すべてのアップリンクダウンリンク構成について、サブフレーム０および５はダウンリンクのために使用され、サブフレーム２はアップリンクのために使用される。サブフレーム３、４、７、８および９は、各々、アップリンクダウンリンク構成に応じて、ダウンリンクまたはアップリンクのために使用され得る。スペシャルサブフレームとしても知られるサブフレーム１は、ダウンリンク制御チャネルならびにデータ送信のために使用されるダウンリンクパイロットタイムスロット（ＤｗＰＴＳ：Downlink Pilot Time Slot）と、無送信のガード期間（ＧＰ：Guard Period）と、物理ランダムアクセスチャネル（ＰＲＡＣＨ：physical random access channel）またはサウンディング基準信号（ＳＲＳ）のいずれかあるいはそれらの両方のために使用されるアップリンクパイロットタイムスロット（ＵｐＰＴＳ）とから構成された３つのスペシャルフィールドを含む。サブフレーム６は、アップリンクダウンリンク構成に応じて、スペシャルサブフレームまたはダウンリンクサブフレームであり得る。ＤｗＰＴＳ、ＧＰおよびＵｐＰＴＳは、スペシャルサブフレーム構成および他の構成（たとえば、ノーマルサイクリックプレフィックス、ＣＰ、または拡張ＣＰが、ダウンリンクおよび／またはアップリンクのために構成されたかどうか）に応じて、異なる持続時間を有し得る。サブフレーム６がスペシャルサブフレームである場合、サブフレーム１と同じ、ＤｗＰＴＳ、ＧＰ、およびＵｐＰＴＳの持続時間が適用されることになる。ＴＤＤの場合、ダウンリンクのために使用される各サブフレームはダウンリンクサブフレームと呼ばれることがあり、アップリンクのために使用される各サブフレームはアップリンクサブフレームと呼ばれることがある。
【００３８】
[0046]表１は、ＴＤＤ動作をサポートするＬＴＥネットワーク中で利用可能な７つの例示的なアップリンクダウンリンク構成をリストする。各アップリンクダウンリンク構成は、各サブフレームが、（表１中で「Ｄ」として示された）ダウンリンクサブフレームであるのか、（表１中で「Ｕ」として示された）アップリンクサブフレームであるのか、（表１中で「Ｓ」として示された）スペシャルサブフレームであるのかを示す。表１に示されているように、アップリンクダウンリンク構成１〜５は、各無線フレーム中でアップリンクサブフレームよりも多くのダウンリンクサブフレームを有する。
【００３９】
【表１】
2018530238.tif 000003
【００４０】
[0047]サブフレーム構成の集合において、２つの切替え周期性、すなわち５ｍｓおよび１０ｍｓがあることに注意されたい。５ｍｓ周期性をもつサブフレーム構成では、１つのフレーム（１０ｍｓ）中に２つのスペシャルサブフレームがある。１０ｍｓ周期性をもつサブフレーム構成では、フレームごとに１つのスペシャルサブフレームがある。各スペシャルサブフレームは、３つの部分、ＤｗＰＴＳ、ＧＰおよびＵｐＰＴＳを含み、ここで、３つの部分の間の分割は構成可能である。ＬＴＥ  Ｒｅｌ−８／９／１０においてノーマルサイクリックプレフィックス状態および拡張サイクリックプレフィックス状態のための９つのスペシャルサブフレーム構成があり、ＬＴＥ  Ｒｅｌ−１１において、それぞれ、ノーマルサイクリックプレフィックス状態および拡張サイクリックプレフィックス状態のために導入されたもう１つのスペシャルサブフレーム構成がある。ノーマルサイクリックプレフィックス状態のためのサポートされるスペシャルサブフレーム構成が、表２中で識別される。
【００４１】
【表２】
2018530238.tif 000004
【００４２】
異なるスペシャルサブフレーム構成は、３：９：２、３：１０：１、９：３：２、１０：２：２、６：６：２など、異なる長さのＤｗＰＴＳ、たとえば、｛３、６、９、１０、１１、１２｝と、ＵｐＰＴＳ、たとえば、｛１、２｝とを含む。
【００４３】
[0048]ＳＲＳ送信は、ＬＴＥ時分割複信（ＴＤＤ）のために重要である。ＳＲＳは、相反性ベースのダウンリンクビームフォーミングのために重要である。それは、アップリンク周波数選択スケジューリングおよびリンク適応をも可能にする。しかしながら、ＵｐＰＴＳスペシャルサブフレーム中で送信される潜在的ショート物理ランダムアクセスチャネル（ＰＲＡＣＨ）のために、ＵｐＰＴＳ中でのＳＲＳ送信は、通常アップリンクサブフレーム中でのＳＲＳ送信とは異なる。図４は、タイムライン４０上の連続ＵｐＰＴＳオケージョンにおけるＳＲＳ帯域幅を示すブロック図である。ＵｐＰＴＳ中でのＳＲＳ送信の場合、非対称ＳＲＳ帯域幅が割当てられ、ＳＲＳ送信のための周波数領域開始位置がＵｐＰＴＳオケージョンごとにホッピングする。対照的に、通常アップリンクサブフレーム中でのＳＲＳ送信は、システム帯域幅の中心に位置する対称ＳＲＳ帯域幅割当て上で行われる。
【００４４】
[0049]現在の構成の場合、ＬＴＥ  ＴＤＤにおけるのＳＲＳ容量は制限される。ＵｐＰＴＳのみにおいて構成されたとき、３２個のユーザが単一のＳＲＳ送信ポートに対してサポートされ得、１６個のユーザがデュアルＳＲＳ送信ポートに対してサポートされる。ＵｐＰＴＳと通常アップリンクサブフレームの両方において構成されたとき、４８個のユーザが単一のＳＲＳ送信ポートに対してサポートされ得、２４個のユーザがデュアルＳＲＳ送信ポートに対してサポートされる。これらの容量の数字に関する仮定は、１０ｍｓ当たり２つのスペシャルサブフレームをもつ５ｍｓ  ＳＲＳ周期性と、広帯域ＳＲＳと、ＬＴＥ  ＵＬ／ＤＬ構成２（ＤＳＵＤＤＤＳＵＤＤ）と、２つのシンボルのＵｐＰＴＳとを含む。しかしながら、このＳＲＳ容量は、提案される全次元ＭＩＭＯ（ＦＤ−ＭＩＭＯ：full dimension MIMO）技術を考慮すると不十分である。したがって、ＳＲＳ容量拡張のための方法が、チャネル相反性ベースのＦＤ−ＭＩＭＯを改善するために提案された。たとえば、ＳＲＳのためのＵｐＰＴＳシンボルの数を増加させることが、ＳＲＳ容量を増加させ得る。さらに、コム(comb)の数を２から４に増加させることも、ＳＲＳ容量を増加させるために考慮され得る。表３は、１つのＳＲＳ送信ポートを用いたＳＲＳ送信および２つのＳＲＳ送信ポートを用いたＳＲＳ送信のためのＳＲＳ容量を示す。
【００４５】
【表３】
2018530238.tif 000005
【００４６】
[0050]ＵｐＰＴＳシンボルの数における増加の場合、起こり得る１つの潜在的問題は、どのように新しいＵｐＰＴＳ構成をＵＥにシグナリングするかということである。１つの可能なソリューションは、以下の表４中の新しいＳＳＦ構成など、ＳＩＢ１中の新しいスペシャルサブフレーム構成を導入することである。新しいスペシャルサブフレーム構成は、各々、より長いＵｐＰＴＳを含む。これは、５ｍｓ切替え周期性の場合、より長いＵｐＰＴＳが、スペシャルサブフレームＳＦ＃１と＃６の両方において構成され得ることを意味する。表４は、より長いＵｐＰＴＳのための例示的な新しいスペシャルサブフレーム構成を与える。
【００４７】
【表４】
2018530238.tif 000006
【００４８】
[0051]しかしながら、１４個のシンボルが各スペシャルサブフレーム中にあるので、より長いＵｐＰＴＳは、レガシーＵＥのためのより短いＤｗＰＴＳを暗示する。たとえば、４シンボルＵｐＰＴＳの場合、ＤｗＰＴＳの長さは、３つ、６つ、または９つのシンボルのいずれか（たとえば、３つのＤｗＰＴＳシンボルを用いたスペシャルサブフレーム構成＃０／５、９つのＤｗＰＴＳシンボルを用いたスペシャルサブフレーム構成＃１／６、および６つのＤｗＰＴＳシンボルを用いたスペシャルサブフレーム構成＃９）に限定される。しかしながら、すべてのＵＥがスペシャルサブフレーム構成＃９（６：６：２）をサポートすることになるとは限らない。２つのＯＦＤＭシンボルの持続時間がＧＰに必要である場合、６：６：２をサポートしないレガシーＵＥが、スペシャルサブフレーム構成＃０／５のために構成され得る。そのような場合、ＤｗＰＴＳ中のＰＤＳＣＨ送信は、不十分なダウンリンクシンボルのために利用可能でないことになり、これは、著しいダウンリンクスループット損失につながり得る。たとえば、ＴＤＤ  ＵＬ／ＤＬ構成１（ＤＳＵＵＤＤＳＵＵＤ）の場合、ＰＤＳＣＨ送信のこの欠如は、１０／（１４＋１０＋１４）＝２６％のピークレート損失を生じることになる。
【００４９】
[0052]本開示の一態様によれば、より長いＵｐＰＴＳの構成は、５ｍｓ切替え周期性の場合、スペシャルサブフレーム＃１および＃６について独立することができる。たとえば、より長いＵｐＰＴＳがサブフレーム＃１においてのみ構成され得、より短いＵｐＰＴＳがサブフレーム＃６において構成される。代替的に、サブフレーム＃１とサブフレーム＃６の両方がより長いＵｐＰＴＳを用いて構成され得るが、サブフレーム＃１のためのＵｐＰＴＳの長さはサブフレーム＃６のためのその長さとは異なる。この独立した構成の場合、レガシーＵＥのＤｗＰＴＳ中のダウンリンク送信は、サブフレーム＃１および＃６のうちの１つにおいて影響を及ぼされるにすぎず、必ずしも両方において影響を及ぼされ得るとは限らない。そのような場合、サービングｅＮＢは、追加のＵｐＰＴＳ長に適合する新しいＵＥのためのＳＲＳ容量と、レガシーＵＥのダウンリンクスループットとの間の性能トレードオフを維持するために、スペシャルサブフレーム構成をフレキシブルに制御および選択し得る。
【００５０】
[0053]たとえば、１つの例示的なインプリメンテーションでは、サービングｅＮＢは、セル中のＦＤ−ＭＩＭＯ動作をサポートする新しいＵＥの数に基づいて、サブフレーム＃１およびサブフレーム＃６をより長いＵｐＰＴＳに再構成することを決定し得る。そのような新しいＵＥの数が増加したとき、サービングｅＮＢは、第１に、サブフレーム＃６が依然としてレガシーＵＥへのダウンリンク送信のために使用され得るように、サブフレーム＃１をＳＲＳ送信のための３：２：９のスペシャルサブフレーム構成に再構成し得る。ＦＤ−ＭＩＭＯに適合する、より多くの新しいＵＥが、サービングｅＮＢのカバレージエリア中に存在するとき、サブフレーム＃１とサブフレーム＃６の両方が、ＳＲＳ送信のために３：２：９の構成に再構成され得る。
【００５１】
[0054]本開示の別のインプリメンテーションは、より動的なプロセスであり得ることにさらに留意されたい。たとえば、サービングｅＮＢは、要望に応じた１ショート送信である、非周期ＳＲＳ送信についてのみ、より長いＵｐＰＴＳ中に追加のシンボルを割り当てることがある。したがって、サービングｅＮＢは、様々なＬ１シグナリング、たとえば、レガシーＵＥと新しいＵＥの両方のためのＤＣＩフォーマットを使用して、ダウンリンクまたはアップリンクＳＲＳのためのサブフレーム＃１および＃６においてリソースをフレキシブルに割り当て得る。
【００５２】
[0055]本開示の様々な態様は、異なるＵＬ／ＤＬ構成を用いたスモールセル動作についても有益であり得る。そのようなシナリオでは、ネイバリングセルが通常ダウンリンクサブフレーム中にある場合、サブフレーム＃６においてより長いＵｐＰＴＳを構成することは比較的無意味であろう。
【００５３】
[0056]図５は、本開示の一態様による、サブフレーム１中のより長いＵｐＰＴＳを定義するスペシャルサブフレーム構成を有する、基地局５０２とＵＥ５０３および５０４との間の通信の送信フレーム５１を示すブロック図である。ＵＥ５０３は、より大きい長さの、たとえば、少なくとも３つの割り当てられたシンボルの、割り当てられたリソースを含むＵｐＰＴＳ構成に適合する新しいＵＥであり、ＵＥ５０４は、最高２つの割り当てられたシンボルの標準ＵｐＰＴＳを期待するレガシーＵＥである。基地局５００とＵＥ５０１との間の送信フレーム５０は、スペシャルサブフレーム＃１および＃６の各々が２シンボルＵｐＰＴＳ（１０：２：２）を用いた同じ構成を有するレガシー構成を示す。しかしながら、本開示の様々な態様に従って定義された送信フレーム５１は、スペシャルサブフレーム＃６の構成をレガシーＵＥ（１０：２：２）に適合するように維持しながら、より長いＵｐＰＴＳ（３：２：９）を用いて基地局５０２によって独立して構成されたスペシャルサブフレーム＃１を含む。そのような態様では、ＵＥ５０４などのレガシーＵＥは、ＵＥ５０３などの新しいＵＥが追加のＵｐＰＴＳシンボル中でＳＲＳを送信し得るように、サブフレーム＃１中でスケジュールされない。サブフレーム＃６は、レガシーＵＥと新しいＵＥの両方、ＵＥ５０３〜５０４の両方のためのダウン送信のために依然として使用され得る。
【００５４】
[0057]追加のＵｐＰＴＳシンボル中でのＳＲＳ送信の場合、追加の考慮事項が、周波数リソースをＳＲＳ送信にマッピングすることに与えられ得る。一代替形態では、ＵｐＰＴＳ中の既存のＳＲＳ送信の場合と同様に、周波数ホッピングを使用してＵｐＰＴＳオケージョンごとに開始位置を交替する、非対称ＳＲＳ帯域幅が定義され得る。第２の代替形態では、通常アップリンクサブフレームＳＲＳ送信の場合と同様に、ＳＲＳ送信がシステム帯域幅の中間部にマッピングされる、対称マッピングが使用され得る。追加のＵｐＰＴＳシンボルのためのより短いＰＲＡＣＨをサポートするように構成されたネットワークでは、非対称ＳＲＳ帯域幅の第１の代替形態が使用され得る。場合によっては、いずれかの代替形態が、ネットワークによって選択され、上位レイヤシグナリングに基づいて構成されるか、または仕様において固定され得る。そのような態様では、どの代替形態をインプリメントすべきかの選択は、（たとえば、周波数ホッピングを通してなどの）全チャネル情報の収集を試みることがより有益であり得るかどうかに基づいて、または（たとえば、対称マッピングを通してなど）中間帯域幅チャネル情報のみの試みられた収集に基づいて行われ得る。
【００５５】
[0058]図６は、本開示の一態様をインプリメントするために実行される例示的なブロックを示すブロック図である。ブロック６００において、第１のスペシャルサブフレームのための第１のスペシャルサブフレーム構成が、基地局によって選択され、ここにおいて、第１のスペシャルサブフレーム構成は、少なくとも３つのシンボルの割り当てられたリソースをもつ第１のＵｐＰＴＳを含む。少なくとも３つのシンボルは、ＵｐＰＴＳに関連する２つのレガシーシンボルと、１つまたは複数の追加のシンボルとを含む。
【００５６】
[0059]ブロック６０１において、基地局は、同じフレームの第２のスペシャルサブフレームのための第２のスペシャルサブフレーム構成を選択し、ここにおいて、第２のスペシャルサブフレーム構成が、第１のＵｐＰＴＳとは異なる割り当てられたリソースをもつ第２のＵｐＰＴＳを含む。２つのレガシーシンボルのうちのいずれかなど、第２のＵｐＰＴＳリソースの長さは、より短くなり得る。３つまたはそれ以上のシンボルをもつなど、第２のＵｐＰＴＳの長さは、より長くもなり得る。しかしながら、第２のＵｐＰＴＳの長さは、第１のＵｐＰＴＳの長さとは異なり得る。
【００５７】
[0060]ブロック６０２において、基地局は、カバレージエリアのための第１のスペシャルサブフレーム構成および第２のスペシャルサブフレーム構成の指示を送信する。例示的な一インプリメンテーションでは、基地局は、ＳＩＢメッセージなど、ブロードキャストタイプメッセージ中で指示を送信し得る。そのようなインプリメンテーションでは、カバレージエリア内でサービスを受信するすべてのＵＥは、第１のスペシャルサブフレームおよび第２のスペシャルサブフレームのための構成を識別するサービング基地局によって送信されたシステム情報信号を受信する。別の代替インプリメンテーションでは、サービング基地局は、ＲＲＣシグナリングを通してなど、指示をもつＵＥ固有信号を送信し得る。そのようなインプリメンテーションでは、追加のＵｐＰＴＳシンボル中でＳＲＳを送信するようにスケジュールされたＵＥのみが、構成の指示を受信する。他のＵＥは、最高２つのシンボルを有するレガシーＵｐＰＴＳ構成を用いた通常動作を仮定する。
【００５８】
[0061]図７は、本開示の一態様に従って構成された、ＵＥ７０５および７０６と基地局７０４との間の送信ストリーム７１を示すブロック図である。ＳＲＳのための追加のＵｐＰＴＳシンボルの構成は、基地局７０４によってサービスされるセルなど、あるセルがより長いＵｐＰＴＳを構成し得るが、基地局７０２によってサービスされるセルなど、別のセルはより長いＵｐＰＴＳを構成しないことがあるような、セル固有であり得る。所与のセル、すなわち基地局７０４のカバレージエリアのための追加のＵｐＰＴＳシンボル中でのＳＲＳ送信が、ネイバリングセル、すなわち基地局７０２のカバレージエリアのＧＰと衝突する場合、他のシンボルおよびサブフレーム中でのＳＲＳ送信と比較して、より少ないセル間干渉があり得る。したがって、ＵＥ７０５および７０６など、ＵＥが、追加のＵｐＰＴＳシンボルとレガシーシンボルとの両方においてＳＲＳを送信するように構成されるとき、少なくとも２つのＳＲＳ電力制御パラメータ、たとえば、それぞれ新しいＳＲＳリソースおよび古いＳＲＳリソースにおけるＳＲＳ送信のための２つのＰSRS_offsetパラメータが、ＵＥのために構成され得る。図７に示されているように、送信ストリーム７０はセルＡ内で基地局７０２とＵＥ７０３との間で行われ、送信ストリーム７１はセルＢ内で基地局７０４とＵＥ７０５および７０６との間で行われる。送信ストリーム７１の追加のＵｐＰＴＳシンボル７００および７０１は、送信ストリーム７０のＧＰ中に生じる。少なくとも２つの異なるＳＲＳ電力制御パラメータは、ＵＥ７０５および７０６が追加のＵｐＰＴＳシンボルおよびレガシーシンボル中でＳＲＳを送信することによって、使用され得る。追加のＵｐＰＴＳシンボル７００および７０１中の送信のための１つのＳＲＳ電力制御パラメータ、ならびにレガシーシンボル中の別のＳＲＳ電力制御パラメータ。追加のＵｐＰＴＳシンボル７００および７０１中の低減されたセル間干渉の場合、例示的な一インプリメンテーションでは、ＵＥ７０５または７０６は、信頼性を損なうことなしに低減された電力でＳＲＳを送信し得る。電力制御パラメータは、ネイバリングセルスペシャルサブフレーム構成に基づいて選択され得る。概して、サービングセルは、追加シンボルとレガシーシンボルの両方における干渉を測定し得、次いで、対応するＳＲＳ電力制御パラメータを決定し得る。
【００５９】
[0062]図８は、本開示の態様に従って構成された、ＵＥ８００および８０１へのＳＲＳリソースの割当てを示すブロック図である。現在、２つのＳＣ−ＦＤＭＡシンボルが所与のサービングセルのＵｐＰＴＳ中に存在するとき、両方のシンボルはＳＲＳ送信のために使用され得る。たとえば、トリガタイプ０の周期ＳＲＳ送信の場合、両方のシンボルが同じＵＥに割り当てられ得、トリガタイプ１の非周期ＳＲＳの場合、２つのシンボルのうちの１つのみが、上位レイヤシグナリングに基づいてＵＥに対して構成される。３つ以上のシンボルがＵｐＰＴＳ中に存在するとき、ＳＲＳ送信のためのＵｐＰＴＳシンボルの構成は以下のオプションを有することができ、第１のオプションでは、追加のＳＲＳリソースが、タイプ０とタイプ１の両方のＳＲＳ送信のためにレガシーリソースとともに同じＵＥ（たとえば、ＵＥ８００またはＵＥ８０１）に割り当てられ得る。図８を参照すると、３：２：９の構成を有するスペシャルサブフレーム８０が示されている。タイプ０の期間ＳＲＳ送信の場合、ＵＥ８００およびＵＥ８０１のためのＳＲＳリソースは、スペシャルサブフレーム８０の追加ＵｐＰＴＳシンボルおよびレガシーＵｐＰＴＳシンボルにわたって割り当てられ得る。第２のオプションでは、追加のＳＲＳリソースは、レガシーリソースとともに構成され得ない。たとえば、タイプ０の周期ＳＲＳ送信の場合、追加の新しいリソースまたはレガシーリソースのいずれかが、最高２つのＳＦ−ＦＤＭＡシンボルとともに、割り当てられ得るが、混合リソースは、タイプ０の周期ＳＲＳ送信またはタイプ１の非周期ＳＲＳ送信のために同じＵＥに割り当てられ得ない。３：２：９の構成を用いたスペシャルサブフレーム８１に示されているように、ＵＥ８００は追加のＵｐＰＴＳシンボル中の２つのシンボルを割り当てられ得、ＵＥ８０１はレガシーＵｐＰＴＳシンボルからの２つのシンボルを割り当てられる。
【００６０】
[0063]単一のＵＥが追加のＵｐＰＴＳシンボルとレガシーシンボルの両方にわたってＳＲＳリソースを割り当てられ得る、第１の代替形態は、２つのオプションのうちのより好ましくないものであり得ることに留意されたい。ＳＲＳ送信電力は、異なるＰSRS_offsetにより、ＵｐＰＴＳスペシャルサブフレーム中の２つのシンボルの中間で異なり得るので、ＳＲＳ送信の送信と信頼できる受信の両方における困難があり得る。
【００６１】
[0064]拡張されたコムがサポートされる場合、本開示の追加の態様は、レガシーＵＥとの共存のためにレガシーＳＲＳリソースに対する後方互換性問題がないように、追加のＵｐＰＴＳシンボルのために拡張するコム値を使用することを可能にする。拡張されたコム値４の場合、ＳＲＳポートごとのコムが
【００６２】
【数１】
2018530238.tif 000007
【００６３】
から導出され、ｔｒａｎｓｍｉｓｓｉｏｎＣｏｍｂ＝｛０、１、２、３｝であり得る。２つのＳＲＳポートの場合、ポート多重化がサイクリックシフト（ＣＳ）のみを使用して決定され得、４つのＳＲＳポートの場合、ポート多重化がＣＳとコムの両方を使用して決定され得る。たとえば、タイプ１のＳＲＳの異なるＳＲＳパラメータセットに対応して、繰返しファクタ（ＲＰＦ）＝２とＲＰＦ＝４の両方が構成された場合、各コム値のための別個のＳＲＳ電力制御パラメータを有することが好ましいことがある。そのような例示的な態様では、追加のＰSRS_offsetが、その使用が対応するコム値に依存するタイプ１の非周期ＳＲＳのために構成され得る。
【００６４】
[0065]ＲＰＦ＝４の場合のＳＲＳのためのＣＳおよびコムの導出の例。
【００６５】
【表５】
2018530238.tif 000008
【００６６】
[0066]情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００６７】
[0067]図６に示されている機能ブロックのいずれも、および／または本明細書で説明された技法のための他のプロセスは、プロセッサ、エレクトロニクスデバイス、ハードウェアデバイス、エレクトロニクス構成要素、論理回路、メモリ、ソフトウェアコード、ファームウェアコードなど、またはそれらの任意の組合せを備え得る。
【００６８】
[0068]さらに、本明細書の開示に関して説明された様々な例示的な論理ブロック、モジュール、回路、およびアルゴリズムステップは、電子ハードウェア、コンピュータソフトウェア、または両方の組合せとしてインプリメントされ得ることを、当業者は諒解されよう。ハードウェアとソフトウェアのこの互換性を明確に示すために、様々な例示的な構成要素、ブロック、モジュール、回路、およびステップが、上記では概してそれらの機能に関して説明された。そのような機能がハードウェアとしてインプリメントされるか、ソフトウェアとしてインプリメントされるかは、特定の適用例および全体的なシステムに課される設計制約に依存する。当業者は、説明された機能を特定の適用例ごとに様々な方法でインプリメントし得るが、そのようなインプリメントの決定は、本開示の範囲からの逸脱を生じるものと解釈されるべきではない。当業者はまた、本明細書で説明された構成要素、方法、または相互作用の順序あるいは組合せは例にすぎないこと、および本開示の様々な態様の構成要素、方法、または相互作用は、本明細書で例示し、説明されたもの以外の方法で組み合わせられるかまたは実行され得ることを容易に認識されよう。
【００６９】
[0069]本明細書の開示に関して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明された機能を実行するように設計されたそれらの任意の組合せを用いてインプリメントまたは実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成としてインプリメントされ得る。
【００７０】
[0070]本明細書の開示に関して説明された方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に存在し得る。ＡＳＩＣはユーザ端末中に存在し得る。代替として、プロセッサおよび記憶媒体は、ユーザ端末中に個別構成要素として存在し得る。
【００７１】
[0071]１つまたは複数の例示的な設計では、説明された機能は、ハードウェア、ソフトウェア、ファームウェア、またはそれらの任意の組合せでインプリメントされ得る。ソフトウェアでインプリメントされる場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。コンピュータ可読記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気記憶デバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、接続はコンピュータ可読媒体と適切に呼ばれ得る。たとえば、ソフトウェアが、同軸ケーブル、光ファイバーケーブル、ツイストペア、またはデジタル加入者線（ＤＳＬ）を使用して、ウェブサイト、サーバ、またはその他のリモートソースから送信される場合、同軸ケーブル、光ファイバーケーブル、ツイストペア、またはＤＳＬは、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれるべきである。
【００７２】
[0072]特許請求の範囲を含めて、本明細書で使用される場合、２つ以上の項目の列挙中で使用されるとき、「および／または」という用語は、列挙された項目のうちのいずれか１つが単独で採用され得ること、または列挙された項目のうちの２つ以上の任意の組合せが採用され得ることを意味する。たとえば、組成が、構成要素Ａ、Ｂ、および／またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）あるいはそれらの任意の組合せにおけるこれらのいずれかを意味するような選言的列挙を示す。
【００７３】
[0073]本開示についての以上の説明は、いかなる当業者も本開示を作成または使用することができるように与えられる。本開示への様々な変更は当業者には容易に明らかになり、本明細書で定義された一般原理は、本開示の趣旨または範囲から逸脱することなく他の変形形態に適用され得る。したがって、本開示は、本明細書で説明された例および設計に限定されるものではなく、本明細書で開示された原理および新規の特徴に合致する最も広い範囲を与えられるべきである。
【図１】
2018530238.tif 000009
【図２】
2018530238.tif 000010
【図３】
2018530238.tif 000011
【図４】
2018530238.tif 000012
【図５】
2018530238.tif 000013
【図６】
2018530238.tif 000014
【図７】
2018530238.tif 000015
【図８】
2018530238.tif 000016
【手続補正書】
【提出日】平成30年5月30日(2018.5.30)
【手続補正１】
【補正対象書類名】特許請求の範囲
【補正対象項目名】全文
【補正方法】変更
【補正の内容】
【特許請求の範囲】
【請求項１】
フレームの第１のスペシャルサブフレームのための第１のスペシャルサブフレーム構成を選択することと、ここにおいて、前記第１のスペシャルサブフレーム構成が、前記第１のスペシャルサブフレームの少なくとも３つのシンボルの割り当てられたリソースをもつ第１のアップリンクパイロットタイムスロット（ＵｐＰＴＳ）を含み、ここにおいて、前記少なくとも３つのシンボルが、２つのレガシーシンボルと１つまたは複数の追加のシンボルとを含む、
前記フレームの第２のスペシャルサブフレームのための第２のスペシャルサブフレーム構成を選択することと、ここにおいて、前記第２のスペシャルサブフレーム構成が、前記第１のＵｐＰＴＳに割り当てられた第１のリソース長とは異なる第２のリソース長の割り当てられたリソースをもつ第２のＵｐＰＴＳを含む、
カバレージエリアのための前記第１のスペシャルサブフレーム構成および前記第２のスペシャルサブフレーム構成の指示を送信することとを備える、ワイヤレス通信の方法。
【請求項２】
前記第２のＵｐＰＴＳに割り当てられた前記リソースが、
２つまたはそれより少ないシンボル、あるいは
少なくとも３つのシンボル、および前記第１のＵｐＰＴＳに割り当てられた前記リソースとは異なる、のうちの１つを含む、請求項１に記載の方法。
【請求項３】
前記１つまたは複数の追加のシンボル中でサウンディング基準信号（ＳＲＳ）送信をスケジュールすることをさらに含み、ここにおいて、前記スケジュールすることが、
各ＵｐＰＴＳオケージョンのためのシステム帯域幅にわたる周波数ホッピングを介して前記ＳＲＳ送信のための開始位置を非対称的にスケジュールすることと、
前記システム帯域幅の中間部分に前記ＳＲＳ送信のための前記開始位置を対称的にスケジュールすることとのうちの１つである、請求項１に記載の方法。
【請求項４】
ショート物理ランダムアクセスチャネル（ＰＲＡＣＨ）が、前記１つまたは複数の追加のシンボル中でサポートされ、前記スケジュールすることが、各ＵｐＰＴＳオケージョンのための前記システム帯域幅にわたる周波数ホッピングを介して前記ＳＲＳ送信のための前記開始位置を非対称的にスケジュールすることを含む、請求項３に記載の方法。
【請求項５】
ＳＲＳ送信のためにユーザ機器に少なくとも２つのシンボルを割り当てることをさらに含み、ここにおいて、前記少なくとも２つのシンボルが、
前記２つのレガシーシンボルのうちの少なくとも１つのシンボルおよび前記１つまたは複数の追加のシンボルのうちの少なくとも１つのシンボル、
前記２つのレガシーシンボル、または
前記１つまたは複数の追加のシンボルのうちの少なくとも２つのうちの１つを含む、請求項１に記載の方法。
【請求項６】
前記１つまたは複数の追加のシンボルの割り当てられたリソースをもつＳＲＳ送信のためのコムを拡張することと、ここにおいて、前記コムがコム値４まで拡張される、
前記１つまたは複数の追加のシンボルのためのＳＲＳリソースとして前記コム値４を割り当てることと、
前記２つのレガシーシンボルのためのＳＲＳリソースとして標準コム値２を割り当てることと、
前記コム値４を前記１つまたは複数の追加のシンボルのためのＳＲＳリソースとして、および前記標準コム値２を前記２つのレガシーシンボルのためのＳＲＳリソースとして識別する割当てインジケータを送信することとをさらに含む、請求項１に記載の方法。
【請求項７】
前記コム値４または前記標準コム値２のうちの１つを用いて割り当てられた各ＳＲＳリソースに対する電力制御パラメータを決定することをさらに含む、請求項６に記載の方法。
【請求項８】
前記第１のスペシャルサブフレーム構成および前記第２のスペシャルサブフレーム構成が、１つまたは複数の適合ユーザ機器（ＵＥ）のためのサウンディング基準信号（ＳＲＳ）容量、または１つまたは複数のレガシーＵＥのためのダウンリンクスループットのうちの少なくとも１つに少なくとも部分的に基づいて、基地局によって選択される、請求項１に記載の方法。
【請求項９】
前記第１のスペシャルサブフレーム中に１つまたは複数のレガシーＵＥをスケジュールすることを控えることをさらに含む、請求項１に記載の方法。
【請求項１０】
フレームの第１のスペシャルサブフレームのための第１のスペシャルサブフレーム構成を選択するための手段と、ここにおいて、前記第１のスペシャルサブフレーム構成が、前記第１のスペシャルサブフレームの少なくとも３つのシンボルの割り当てられたリソースをもつ第１のアップリンクパイロットタイムスロット（ＵｐＰＴＳ）を含み、ここにおいて、前記少なくとも３つのシンボルが、２つのレガシーシンボルと１つまたは複数の追加のシンボルとを含む、
前記フレームの第２のスペシャルサブフレームのための第２のスペシャルサブフレーム構成を選択するための手段と、ここにおいて、前記第２のスペシャルサブフレーム構成が、前記第１のＵｐＰＴＳに割り当てられた第１のリソース長とは異なる第２のリソース長の割り当てられたリソースをもつ第２のＵｐＰＴＳを含む、
カバレージエリアのための前記第１のスペシャルサブフレーム構成および前記第２のスペシャルサブフレーム構成の指示を送信するための手段とを備える、ワイヤレス通信のために構成された装置。
【請求項１１】
前記第２のＵｐＰＴＳに割り当てられた前記リソースが、
２つまたはそれより少ないシンボル、あるいは
少なくとも３つのシンボル、および前記第１のＵｐＰＴＳに割り当てられた前記リソースとは異なる、のうちの１つを含む、請求項１０に記載の装置。
【請求項１２】
前記１つまたは複数の追加のシンボル中でサウンディング基準信号（ＳＲＳ）送信をスケジュールするための手段をさらに含み、ここにおいて、スケジュールするための前記手段が、
各ＵｐＰＴＳオケージョンのためのシステム帯域幅にわたる周波数ホッピングを介して前記ＳＲＳ送信のための開始位置を非対称的にスケジュールするための手段と、
前記システム帯域幅の中間部分に前記ＳＲＳ送信のための前記開始位置を対称的にスケジュールするための手段とのうちの１つである、請求項１０に記載の装置。
【請求項１３】
ショート物理ランダムアクセスチャネル（ＰＲＡＣＨ）が、前記１つまたは複数の追加のシンボル中でサポートされ、スケジュールするための前記手段が、各ＵｐＰＴＳオケージョンのための前記システム帯域幅にわたる周波数ホッピングを介して前記ＳＲＳ送信のための前記開始位置を非対称的にスケジュールするための手段を含む、請求項１２に記載の装置。
【請求項１４】
ＳＲＳ送信のためにユーザ機器に少なくとも２つのシンボルを割り当てるための手段をさらに含み、ここにおいて、前記少なくとも２つのシンボルが、
前記２つのレガシーシンボルのうちの少なくとも１つのシンボルおよび前記１つまたは複数の追加のシンボルのうちの少なくとも１つのシンボル、
前記２つのレガシーシンボル、または
前記１つまたは複数の追加のシンボルのうちの少なくとも２つのうちの１つを含む、請求項１０に記載の装置。
【請求項１５】
前記１つまたは複数の追加のシンボルの割り当てられたリソースをもつＳＲＳ送信のためのコムを拡張するための手段と、ここにおいて、前記コムがコム値４まで拡張される、
前記１つまたは複数の追加のシンボルのためのＳＲＳリソースとして前記コム値４を割り当てるための手段と、
前記２つのレガシーシンボルのためのＳＲＳリソースとして標準コム値２を割り当てるための手段と、
前記コム値４を前記１つまたは複数の追加のシンボルのためのＳＲＳリソースとして、および前記標準コム値２を前記２つのレガシーシンボルのためのＳＲＳリソースとして識別する割当てインジケータを送信するための手段とをさらに含む、請求項１０に記載の装置。
【請求項１６】
前記コム値４または前記標準コム値２のうちの１つを用いて割り当てられた各ＳＲＳリソースに対する電力制御パラメータを決定するための手段をさらに含む、請求項１５に記載の装置。
【請求項１７】
前記第１のスペシャルサブフレーム構成および前記第２のスペシャルサブフレーム構成が、１つまたは複数の適合ユーザ機器（ＵＥ）のためのサウンディング基準信号（ＳＲＳ）容量、または１つまたは複数のレガシーＵＥのためのダウンリンクスループットのうちの少なくとも１つに少なくとも部分的に基づいて、基地局によって選択される、請求項１０に記載の装置。
【請求項１８】
前記第１のスペシャルサブフレーム中に１つまたは複数のレガシーＵＥをスケジュールすることを控えるための手段をさらに含む、請求項１０に記載の装置。
【請求項１９】
プログラムコードを記録した非一時的コンピュータ可読媒体であって、前記プログラムコードは、
フレームの第１のスペシャルサブフレームのための第１のスペシャルサブフレーム構成を選択することをコンピュータに行わせるためのプログラムコードと、ここにおいて、前記第１のスペシャルサブフレーム構成が、前記第１のスペシャルサブフレームの少なくとも３つのシンボルの割り当てられたリソースをもつ第１のアップリンクパイロットタイムスロット（ＵｐＰＴＳ）を含み、ここにおいて、前記少なくとも３つのシンボルが、２つのレガシーシンボルと１つまたは複数の追加のシンボルとを含む、
前記フレームの第２のスペシャルサブフレームのための第２のスペシャルサブフレーム構成を選択することを前記コンピュータに行わせるためのプログラムコードと、ここにおいて、前記第２のスペシャルサブフレーム構成が、前記第１のＵｐＰＴＳに割り当てられた第１のリソース長とは異なる第２のリソース長の割り当てられたリソースをもつ第２のＵｐＰＴＳを含む、
カバレージエリアのための前記第１のスペシャルサブフレーム構成および前記第２のスペシャルサブフレーム構成の指示を送信することを前記コンピュータに行わせるためのプログラムコードとを備える、非一時的コンピュータ可読媒体。
【請求項２０】
前記第２のＵｐＰＴＳに割り当てられた前記リソースが、
２つまたはそれより少ないシンボル、あるいは
少なくとも３つのシンボル、および前記第１のＵｐＰＴＳに割り当てられた前記リソースとは異なる、のうちの１つを含む、請求項１９に記載の非一時的コンピュータ可読媒体。
【請求項２１】
ＳＲＳ送信のためにユーザ機器に少なくとも２つのシンボルを割り当てることを前記コンピュータに行わせるためのプログラムコードをさらに含み、ここにおいて、前記少なくとも２つのシンボルが、
前記２つのレガシーシンボルのうちの少なくとも１つのシンボルおよび前記１つまたは複数の追加のシンボルのうちの少なくとも１つのシンボル、
前記２つのレガシーシンボル、または
前記１つまたは複数の追加のシンボルのうちの少なくとも２つのうちの１つを含む、請求項１９に記載の非一時的コンピュータ可読媒体。
【請求項２２】
前記１つまたは複数の追加のシンボルの割り当てられたリソースをもつＳＲＳ送信のためのコムを拡張することを前記コンピュータに行わせるためのプログラムコードと、ここにおいて、前記コムがコム値４まで拡張される、
前記１つまたは複数の追加のシンボルのためのＳＲＳリソースとして前記コム値４を割り当てることを前記コンピュータに行わせるためのプログラムコードと、
前記２つのレガシーシンボルのためのＳＲＳリソースとして標準コム値２を割り当てることを前記コンピュータに行わせるためのプログラムコードと、
前記コム値４を前記１つまたは複数の追加のシンボルのためのＳＲＳリソースとして、および前記標準コム２を前記２つのレガシーシンボルのためのＳＲＳリソースとして識別する割当てインジケータを送信することを前記コンピュータに行わせるためのプログラムコードとをさらに含む、請求項１９に記載の非一時的コンピュータ可読媒体。
【請求項２３】
２つのＳＲＳポートが割り当てられた場合のポートを多重化するための命令を送信することを前記コンピュータに行わせるためのプログラムコード、ここにおいて、前記ポートがサイクリックシフトを使用して多重化される、または
４つのＳＲＳポートが割り当てられた場合のポートを多重化するための命令を送信することを前記コンピュータに行わせるためのプログラムコード、ここにおいて、前記ポートがサイクリックシフトおよびコム値を使用して多重化される、のうちの１つをさらに含む、請求項１９に記載の非一時的コンピュータ可読媒体。
【請求項２４】
前記コム値４の各コム値に対する電力制御パラメータを決定することを前記コンピュータに行わせるためのプログラムコードをさらに含む、請求項１９に記載の非一時的コンピュータ可読媒体。
【請求項２５】
ワイヤレス通信のために構成された装置であって、前記装置が、
少なくとも１つのプロセッサと、
前記少なくとも１つのプロセッサに結合されたメモリとを備え、
ここにおいて、前記少なくとも１つのプロセッサは、
フレームの第１のスペシャルサブフレームのための第１のスペシャルサブフレーム構成を選択することと、ここにおいて、前記第１のスペシャルサブフレーム構成が、前記第１のスペシャルサブフレームの少なくとも３つのシンボルの割り当てられたリソースをもつ第１のアップリンクパイロットタイムスロット（ＵｐＰＴＳ）を含み、ここにおいて、前記少なくとも３つのシンボルが、２つのレガシーシンボルと１つまたは複数の追加のシンボルとを含む、
前記フレームの第２のスペシャルサブフレームのための第２のスペシャルサブフレーム構成を選択することと、ここにおいて、前記第２のスペシャルサブフレーム構成が、前記第１のＵｐＰＴＳに割り当てられた第１のリソース長とは異なる第２のリソース長の割り当てられたリソースをもつ第２のＵｐＰＴＳを含む、
カバレージエリアのための前記第１のスペシャルサブフレーム構成および前記第２のスペシャルサブフレーム構成の指示を送信することとを行うように構成された、装置。
【請求項２６】
前記第２のＵｐＰＴＳに割り当てられた前記リソースが、
２つまたはそれより少ないシンボル、あるいは
少なくとも３つのシンボル、および前記第１のＵｐＰＴＳに割り当てられた前記リソースとは異なる、のうちの１つを含む、請求項２５に記載の非一時的コンピュータ可読媒体。
【請求項２７】
ＳＲＳ送信のためにユーザ機器に少なくとも２つにシンボルを割り当てるための前記少なくとも１つのプロセッサの構成をさらに含み、ここにおいて、前記少なくとも２つのシンボルが、
前記２つのレガシーシンボル、または
前記１つまたは複数の追加のシンボルのうちの少なくとも２つのうちの１つを含む、請求項２５に記載の非一時的コンピュータ可読媒体。
【請求項２８】
前記１つまたは複数の追加のシンボルの割り当てられたリソースをもつＳＲＳ送信のためのコムを拡張することと、ここにおいて、前記コムがコム値４まで拡張される、
前記１つまたは複数の追加のシンボルのためのＳＲＳリソースとして前記コム値４を割り当てることと、
前記２つのレガシーシンボルのためのＳＲＳリソースとして標準コム値２を割り当てることと、
前記コム値４を前記１つまたは複数の追加のシンボルのためのＳＲＳリソースとして、および前記標準コム２を前記２つのレガシーシンボルのためのＳＲＳリソースとして識別する割当てインジケータを送信することとを行うための前記少なくとも１つのプロセッサの構成をさらに含む、請求項２５に記載の装置。
【請求項２９】
２つのＳＲＳポートが割り当てられたポートを多重化するための命令を送信すること、ここにおいて、前記ポートがサイクリックシフトを使用して多重化される、または
４つのＳＲＳポートが割り当てられたポートを多重化するための命令を送信すること、ここにおいて、前記ポートがサイクリックシフトおよびコム値を使用して多重化される、のうちの１つを行うための前記少なくとも１つのプロセッサの構成をさらに含む、請求項２５に記載の装置。
【請求項３０】
前記コム値４の各コム値に対する電力制御パラメータを決定することを行うための前記少なくとも１つのプロセッサの構成をさらに含む、請求項２５に記載の装置。
【手続補正２】
【補正対象書類名】明細書
【補正対象項目名】００７３
【補正方法】変更
【補正の内容】
【００７３】
[0073]本開示についての以上の説明は、いかなる当業者も本開示を作成または使用することができるように与えられる。本開示への様々な変更は当業者には容易に明らかになり、本明細書で定義された一般原理は、本開示の趣旨または範囲から逸脱することなく他の変形形態に適用され得る。したがって、本開示は、本明細書で説明された例および設計に限定されるものではなく、本明細書で開示された原理および新規の特徴に合致する最も広い範囲を与えられるべきである。
以下に本願の出願当初の特許請求の範囲に記載された発明を付記する。
［Ｃ１］
フレームの第１のスペシャルサブフレームのための第１のスペシャルサブフレーム構成を選択することと、ここにおいて、前記第１のスペシャルサブフレーム構成が、少なくとも３つのシンボルの割り当てられたリソースをもつ第１のアップリンクパイロットタイムスロット（ＵｐＰＴＳ）を含み、ここにおいて、前記少なくとも３つのシンボルが、２つのレガシーシンボルと１つまたは複数の追加のシンボルとを含む、
前記フレームの第２のスペシャルサブフレームのための第２のスペシャルサブフレーム構成を選択することと、ここにおいて、前記第２のスペシャルサブフレーム構成が、前記第１のＵｐＰＴＳに割り当てられた第１のリソース長とは異なる第２のリソース長の割り当てられたリソースをもつ第２のＵｐＰＴＳを含む、
カバレージエリアのための前記第１のスペシャルサブフレーム構成および前記第２のスペシャルサブフレーム構成の指示を送信することとを備える、ワイヤレス通信の方法。
［Ｃ２］
前記第２のＵｐＰＴＳに割り当てられた前記リソースが、
２つまたはそれより少ないシンボル、あるいは
少なくとも３つのシンボル、および前記第１のＵｐＰＴＳに割り当てられた前記リソースとは異なる、のうちの１つを含む、Ｃ１に記載の方法。
［Ｃ３］
前記１つまたは複数の追加のシンボル中でサウンディング基準信号（ＳＲＳ）送信をスケジュールすることをさらに含み、ここにおいて、前記スケジュールすることが、
各ＵｐＰＴＳオケージョンのためのシステム帯域幅にわたる周波数ホッピングを介して前記ＳＲＳ送信のための開始位置を非対称的にスケジュールすることと、
前記システム帯域幅の中間部分に前記ＳＲＳ送信のための前記開始位置を対称的にスケジュールすることとのうちの１つである、Ｃ１に記載の方法。
［Ｃ４］
ショート物理ランダムアクセスチャネル（ＰＲＡＣＨ）が、前記１つまたは複数の追加のシンボル中でサポートされ、前記スケジュールすることが、各ＵｐＰＴＳオケージョンのための前記システム帯域幅にわたる周波数ホッピングを介して前記ＳＲＳ送信のための前記開始位置を非対称的にスケジュールすることを含む、Ｃ３に記載の方法。
［Ｃ５］
ＳＲＳ送信のためにユーザ機器に少なくとも２つのシンボルを割り当てることをさらに含み、ここにおいて、前記少なくとも２つのシンボルが、
前記２つのレガシーシンボルのうちの少なくとも１つのシンボルおよび前記１つまたは複数の追加のシンボルのうちの少なくとも１つのシンボル、
前記２つのレガシーシンボル、または
前記１つまたは複数の追加のシンボルのうちの少なくとも２つのうちの１つを含む、Ｃ１に記載の方法。
［Ｃ６］
前記１つまたは複数の追加のシンボルの割り当てられたリソースをもつＳＲＳ送信のためのコムを拡張することと、ここにおいて、前記コムがコム値４まで拡張される、
前記１つまたは複数の追加のシンボルのためのＳＲＳリソースとして前記コム値４を割り当てることと、
前記２つのレガシーシンボルのためのＳＲＳリソースとして標準コム値２を割り当てることと、
前記コム値４を前記１つまたは複数の追加のシンボルのためのＳＲＳリソースとして、および前記標準コム値２を前記２つのレガシーシンボルのためのＳＲＳリソースとして識別する割当てインジケータを送信することとをさらに含む、Ｃ１に記載の方法。
［Ｃ７］
前記コム値４または前記標準コム値２のうちの１つを用いて割り当てられた各ＳＲＳリソースに対する電力制御パラメータを決定することをさらに含む、Ｃ６に記載の方法。
［Ｃ８］
前記第１のスペシャルサブフレーム構成および前記第２のスペシャルサブフレーム構成が、１つまたは複数の適合ユーザ機器（ＵＥ）のためのサウンディング基準信号（ＳＲＳ）容量、または１つまたは複数のレガシーＵＥのためのダウンリンクスループットのうちの少なくとも１つに少なくとも部分的に基づいて、基地局によって選択される、Ｃ１に記載の方法。
［Ｃ９］
前記第１のスペシャルサブフレーム中に１つまたは複数のレガシーＵＥをスケジュールすることを控えることをさらに含む、Ｃ１に記載の方法。
［Ｃ１０］
フレームの第１のスペシャルサブフレームのための第１のスペシャルサブフレーム構成を選択するための手段と、ここにおいて、前記第１のスペシャルサブフレーム構成が、少なくとも３つのシンボルの割り当てられたリソースをもつ第１のアップリンクパイロットタイムスロット（ＵｐＰＴＳ）を含み、ここにおいて、前記少なくとも３つのシンボルが、２つのレガシーシンボルと１つまたは複数の追加のシンボルとを含む、
前記フレームの第２のスペシャルサブフレームのための第２のスペシャルサブフレーム構成を選択するための手段と、ここにおいて、前記第２のスペシャルサブフレーム構成が、前記第１のＵｐＰＴＳに割り当てられた第１のリソース長とは異なる第２のリソース長の割り当てられたリソースをもつ第２のＵｐＰＴＳを含む、
カバレージエリアのための前記第１のスペシャルサブフレーム構成および前記第２のスペシャルサブフレーム構成の指示を送信するための手段とを備える、ワイヤレス通信のために構成された装置。
［Ｃ１１］
前記第２のＵｐＰＴＳに割り当てられた前記リソースが、
２つまたはそれより少ないシンボル、あるいは
少なくとも３つのシンボル、および前記第１のＵｐＰＴＳに割り当てられた前記リソースとは異なる、のうちの１つを含む、Ｃ１０に記載の装置。
［Ｃ１２］
前記１つまたは複数の追加のシンボル中でサウンディング基準信号（ＳＲＳ）送信をスケジュールするための手段をさらに含み、ここにおいて、スケジュールするための前記手段が、
各ＵｐＰＴＳオケージョンのためのシステム帯域幅にわたる周波数ホッピングを介して前記ＳＲＳ送信のための開始位置を非対称的にスケジュールするための手段と、
前記システム帯域幅の中間部分に前記ＳＲＳ送信のための前記開始位置を対称的にスケジュールするための手段とのうちの１つである、Ｃ１０に記載の装置。
［Ｃ１３］
ショート物理ランダムアクセスチャネル（ＰＲＡＣＨ）が、前記１つまたは複数の追加のシンボル中でサポートされ、スケジュールするための前記手段が、各ＵｐＰＴＳオケージョンのための前記システム帯域幅にわたる周波数ホッピングを介して前記ＳＲＳ送信のための前記開始位置を非対称的にスケジュールするための手段を含む、Ｃ１２に記載の装置。
［Ｃ１４］
ＳＲＳ送信のためにユーザ機器に少なくとも２つのシンボルを割り当てるための手段をさらに含み、ここにおいて、前記少なくとも２つのシンボルが、
前記２つのレガシーシンボルのうちの少なくとも１つのシンボルおよび前記１つまたは複数の追加のシンボルのうちの少なくとも１つのシンボル、
前記２つのレガシーシンボル、または
前記１つまたは複数の追加のシンボルのうちの少なくとも２つのうちの１つを含む、Ｃ１０に記載の装置。
［Ｃ１５］
前記１つまたは複数の追加のシンボルの割り当てられたリソースをもつＳＲＳ送信のためのコムを拡張するための手段と、ここにおいて、前記コムがコム値４まで拡張される、
前記１つまたは複数の追加のシンボルのためのＳＲＳリソースとして前記コム値４を割り当てるための手段と、
前記２つのレガシーシンボルのためのＳＲＳリソースとして標準コム値２を割り当てるための手段と、
前記コム値４を前記１つまたは複数の追加のシンボルのためのＳＲＳリソースとして、および前記標準コム値２を前記２つのレガシーシンボルのためのＳＲＳリソースとして識別する割当てインジケータを送信するための手段とをさらに含む、Ｃ１０に記載の装置。
［Ｃ１６］
前記コム値４または前記標準コム値２のうちの１つを用いて割り当てられた各ＳＲＳリソースに対する電力制御パラメータを決定するための手段をさらに含む、Ｃ１５に記載の装置。
［Ｃ１７］
前記第１のスペシャルサブフレーム構成および前記第２のスペシャルサブフレーム構成が、１つまたは複数の適合ユーザ機器（ＵＥ）のためのサウンディング基準信号（ＳＲＳ）容量、または１つまたは複数のレガシーＵＥのためのダウンリンクスループットのうちの少なくとも１つに少なくとも部分的に基づいて、基地局によって選択される、Ｃ１０に記載の装置。
［Ｃ１８］
前記第１のスペシャルサブフレーム中に１つまたは複数のレガシーＵＥをスケジュールすることを控えるための手段をさらに含む、Ｃ１０に記載の装置。
［Ｃ１９］
プログラムコードを記録した非一時的コンピュータ可読媒体であって、前記プログラムコードは、
フレームの第１のスペシャルサブフレームのための第１のスペシャルサブフレーム構成を選択することをコンピュータに行わせるためのプログラムコードと、ここにおいて、前記第１のスペシャルサブフレーム構成が、少なくとも３つのシンボルの割り当てられたリソースをもつ第１のアップリンクパイロットタイムスロット（ＵｐＰＴＳ）を含み、ここにおいて、前記少なくとも３つのシンボルが、２つのレガシーシンボルと１つまたは複数の追加のシンボルとを含む、
前記フレームの第２のスペシャルサブフレームのための第２のスペシャルサブフレーム構成を選択することを前記コンピュータに行わせるためのプログラムコードと、ここにおいて、前記第２のスペシャルサブフレーム構成が、前記第１のＵｐＰＴＳに割り当てられた第１のリソース長とは異なる第２のリソース長の割り当てられたリソースをもつ第２のＵｐＰＴＳを含む、
カバレージエリアのための前記第１のスペシャルサブフレーム構成および前記第２のスペシャルサブフレーム構成の指示を送信することを前記コンピュータに行わせるためのプログラムコードとを備える、非一時的コンピュータ可読媒体。
［Ｃ２０］
前記第２のＵｐＰＴＳに割り当てられた前記リソースが、
２つまたはそれより少ないシンボル、あるいは
少なくとも３つのシンボル、および前記第１のＵｐＰＴＳに割り当てられた前記リソースとは異なる、のうちの１つを含む、Ｃ１９に記載の非一時的コンピュータ可読媒体。
［Ｃ２１］
ＳＲＳ送信のためにユーザ機器に少なくとも２つのシンボルを割り当てることを前記コンピュータに行わせるためのプログラムコードをさらに含み、ここにおいて、前記少なくとも２つのシンボルが、
前記２つのレガシーシンボルのうちの少なくとも１つのシンボルおよび前記１つまたは複数の追加のシンボルのうちの少なくとも１つのシンボル、
前記２つのレガシーシンボル、または
前記１つまたは複数の追加のシンボルのうちの少なくとも２つのうちの１つを含む、Ｃ１９に記載の非一時的コンピュータ可読媒体。
［Ｃ２２］
前記１つまたは複数の追加のシンボルの割り当てられたリソースをもつＳＲＳ送信のためのコムを拡張することを前記コンピュータに行わせるためのプログラムコードと、ここにおいて、前記コムがコム値４まで拡張される、
前記１つまたは複数の追加のシンボルのためのＳＲＳリソースとして前記コム値４を割り当てることを前記コンピュータに行わせるためのプログラムコードと、
前記２つのレガシーシンボルのためのＳＲＳリソースとして標準コム値２を割り当てることを前記コンピュータに行わせるためのプログラムコードと、
前記コム値４を前記１つまたは複数の追加のシンボルのためのＳＲＳリソースとして、および前記標準コム２を前記２つのレガシーシンボルのためのＳＲＳリソースとして識別する割当てインジケータを送信することを前記コンピュータに行わせるためのプログラムコードとをさらに含む、Ｃ１９に記載の非一時的コンピュータ可読媒体。
［Ｃ２３］
２つのＳＲＳポートが割り当てられたポートを多重化するための命令を送信することを前記コンピュータに行わせるためのプログラムコード、ここにおいて、前記ポートがサイクリックシフトを使用して多重化される、または
４つのＳＲＳポートが割り当てられたポートを多重化するための命令を送信することを前記コンピュータに行わせるためのプログラムコード、ここにおいて、前記ポートがサイクリックシフトおよびコム値を使用して多重化される、のうちの１つをさらに含む、Ｃ１９に記載の非一時的コンピュータ可読媒体。
［Ｃ２４］
前記コム値４の各コム値に対する電力制御パラメータを決定することを前記コンピュータに行わせるためのプログラムコードをさらに含む、Ｃ１９に記載の非一時的コンピュータ可読媒体。
［Ｃ２５］
ワイヤレス通信のために構成された装置であって、前記装置が、
少なくとも１つのプロセッサと、
前記少なくとも１つのプロセッサに結合されたメモリとを備え、
ここにおいて、前記少なくとも１つのプロセッサは、
フレームの第１のスペシャルサブフレームのための第１のスペシャルサブフレーム構成を選択することと、ここにおいて、前記第１のスペシャルサブフレーム構成が、少なくとも３つのシンボルの割り当てられたリソースをもつ第１のアップリンクパイロットタイムスロット（ＵｐＰＴＳ）を含み、ここにおいて、前記少なくとも３つのシンボルが、２つのレガシーシンボルと１つまたは複数の追加のシンボルとを含む、
前記フレームの第２のスペシャルサブフレームのための第２のスペシャルサブフレーム構成を選択することと、ここにおいて、前記第２のスペシャルサブフレーム構成が、前記第１のＵｐＰＴＳに割り当てられた第１のリソース長とは異なる第２のリソース長の割り当てられたリソースをもつ第２のＵｐＰＴＳを含む、
カバレージエリアのための前記第１のスペシャルサブフレーム構成および前記第２のスペシャルサブフレーム構成の指示を送信することとを行うように構成された、装置。
［Ｃ２６］
前記第２のＵｐＰＴＳに割り当てられた前記リソースが、
２つまたはそれより少ないシンボル、あるいは
少なくとも３つのシンボル、および前記第１のＵｐＰＴＳに割り当てられた前記リソースとは異なる、のうちの１つを含む、Ｃ２５に記載の非一時的コンピュータ可読媒体。
［Ｃ２７］
ＳＲＳ送信のためにユーザ機器に少なくとも２つにシンボルを割り当てるための前記少なくとも１つのプロセッサの構成をさらに含み、ここにおいて、前記少なくとも２つのシンボルが、
前記２つのレガシーシンボル、または
前記１つまたは複数の追加のシンボルのうちの少なくとも２つのうちの１つを含む、Ｃ２５に記載の非一時的コンピュータ可読媒体。
［Ｃ２８］
前記１つまたは複数の追加のシンボルの割り当てられたリソースをもつＳＲＳ送信のためのコムを拡張することと、ここにおいて、前記コムがコム値４まで拡張される、
前記１つまたは複数の追加のシンボルのためのＳＲＳリソースとして前記コム値４を割り当てることと、
前記２つのレガシーシンボルのためのＳＲＳリソースとして標準コム値２を割り当てることと、
前記コム値４を前記１つまたは複数の追加のシンボルのためのＳＲＳリソースとして、および前記標準コム２を前記２つのレガシーシンボルのためのＳＲＳリソースとして識別する割当てインジケータを送信することとを行うための前記少なくとも１つのプロセッサの構成をさらに含む、Ｃ２５に記載の装置。
［Ｃ２９］
２つのＳＲＳポートが割り当てられたポートを多重化するための命令を送信すること、ここにおいて、前記ポートがサイクリックシフトを使用して多重化される、または
４つのＳＲＳポートが割り当てられたポートを多重化するための命令を送信すること、ここにおいて、前記ポートがサイクリックシフトおよびコム値を使用して多重化される、のうちの１つを行うための前記少なくとも１つのプロセッサの構成をさらに含む、Ｃ２５に記載の装置。
［Ｃ３０］
前記コム値４の各コム値に対する電力制御パラメータを決定することを行うための前記少なくとも１つのプロセッサの構成をさらに含む、Ｃ２５に記載の装置。
【国際調査報告】
2018530238.tif 000017
2018530238.tif 000018